(57)【要約】  無線ネットワークにおけるチャネル状態情報（ＣＳＩ）フィードバックの方法および装置。ある実施の形態では、方法は、チャネル測定用の第１非ゼロ電力（ＮＺＰ）ＣＳＩ参照信号（ＲＳ）設定と、第２ＮＺＰ  ＣＳＩ−ＲＳ設定と、干渉測定用のＣＳＩ干渉測定（ＣＳＩ−ＩＭ）設定と、を含むシグナリングを受信することを含む。方法は、ＣＳＩフィードバック要求を受信することと、少なくとも、シグナリングされた第１ＮＺＰ  ＣＳＩ−ＲＳ設定と、第２ＮＺＰ  ＣＳＩ−ＲＳ設定と、ＣＳＩ−ＩＭ設定と、に基づいてＣＳＩを推定することと、を含む。【選択図】図１２
2020520151.tif 000002
【特許請求の範囲】
【請求項１】
ユーザ装置、ＵＥ（１４）の方法であって、前記方法は、
前記ＵＥ（１４）がシグナリングを受信すること（Ｓ１１０）であって、前記シグナリングが、チャネル測定用の第１非ゼロ電力、ＮＺＰ、チャネル状態情報、ＣＳＩ、参照信号、ＲＳ、設定と、干渉測定用の第２ＮＺＰ  ＣＳＩ−ＲＳ設定と、干渉測定用のＣＳＩ干渉測定、ＣＳＩ−ＩＭ、設定と、を含む、受信することと、
前記ＵＥ（１４）が、前記シグナリングされた第１ＮＺＰ  ＣＳＩ−ＲＳ設定と前記第２ＮＺＰ  ＣＳＩ−ＲＳ設定と、前記ＣＳＩ−ＩＭ設定と、に少なくとも部分的に基づいて、ＣＳＩを推定すること（Ｓ１１４）と、を含む方法。
【請求項２】
前記第２ＮＺＰ  ＣＳＩ−ＲＳ設定が、前記干渉測定用のＫ個（Ｋ≧１）のＮＺＰ  ＣＳＩ−ＲＳリソースを設定するためのものである請求項１に記載の方法。
【請求項３】
前記Ｋ個のＮＺＰ  ＣＳＩ−ＲＳリソースにおいて測定された前記干渉測定がマルチユーザ複数入力複数出力、ＭＵ−ＭＩＭＯ、干渉に対応する請求項２に記載の方法。
【請求項４】
Ｋ＋１が、マルチユーザ複数入力複数出力、ＭＵ−ＭＩＭＯ、通信のユーザ装置候補の数に対応する請求項２または３に記載の方法。
【請求項５】
前記第２ＮＺＰ  ＣＳＩ−ＲＳ設定がマルチユーザ、ＭＵ、干渉測定のためのものである請求項１から４のいずれか一項に記載の方法。
【請求項６】
前記ＣＳＩ−ＩＭ設定がセル間干渉測定のためのものである請求項１から５のいずれか一項に記載の方法。
【請求項７】
前記シグナリングを受信すること（Ｓ１１０）がさらに、コードブック設定を含む前記シグナリングを受信することを含む請求項１から６のいずれか一項に記載の方法。
【請求項８】
前記ＣＳＩを推定すること（Ｓ１１４）がさらに、前記コードブック設定に基づいて前記ＣＳＩを推定することを含む請求項７に記載の方法。
【請求項９】
前記ＵＥ（１４）が、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、前記コードブック設定と、に基づいて、ＣＳＩのＣＳＩフィードバック要求を受信すること（Ｓ１１２）をさらに含む請求項７または８に記載の方法。
【請求項１０】
前記ＵＥ（１４）が、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、に基づいて、ＣＳＩのＣＳＩフィードバック要求を受信すること（Ｓ１１２）をさらに含む請求項１から８のいずれか一項に記載の方法。
【請求項１１】
前記ＣＳＩを推定すること（Ｓ１１４）がさらに、前記第１ＮＺＰ  ＣＳＩ−ＲＳ設定に対応する第１ＮＺＰ  ＣＳＩ−ＲＳリソース上のダウンリンクチャネルを測定することを含む請求項１から１０のいずれか一項に記載の方法。
【請求項１２】
前記ＣＳＩを推定すること（Ｓ１１４）がさらに、前記第２ＮＺＰ  ＣＳＩ−ＲＳ設定に対応するＫ個のＮＺＰ  ＣＳＩ−ＲＳリソースのそれぞれ上の干渉を測定することを含む請求項１から１１のいずれか一項に記載の方法。
【請求項１３】
前記Ｋ個のＮＺＰ  ＣＳＩ−ＲＳリソースのそれぞれ上の前記干渉を測定することによりＫ個の干渉電力推定が生じる請求項１２に記載の方法。
【請求項１４】
前記Ｋ個の干渉電力推定のそれぞれが、前記Ｋ個のＮＺＰ  ＣＳＩ−ＲＳリソースに関連付けられた電力スケーリングファクタに従ってスケーリングされる請求項１３に記載の方法。
【請求項１５】
前記第２ＮＺＰ  ＣＳＩ−ＲＳ設定が、前記干渉測定の前記第２ＮＺＰ  ＣＳＩ−ＲＳ設定によって設定されたＫ個のＮＺＰ  ＣＳＩ−ＲＳリソースのそれぞれの電力スケーリングファクタを含む請求項１から１４のいずれか一項に記載の方法。
【請求項１６】
前記ＣＳＩを推定すること（Ｓ１１４）が、前記ＣＳＩ−ＩＭ設定に対応する少なくともひとつのＣＳＩ−ＩＭリソース上の干渉を測定することを含む請求項１から１５のいずれか一項に記載の方法。
【請求項１７】
前記少なくともひとつのＣＳＩ−ＩＭリソース上の前記干渉を測定することにより少なくともひとつの干渉電力推定が生じる請求項１６に記載の方法。
【請求項１８】
少なくとも、前記Ｋ個のＮＺＰ  ＣＳＩ−ＲＳリソースに基づく前記Ｋ個の干渉電力推定と、前記少なくともひとつのＣＳＩ−ＩＭリソースに基づく前記少なくともひとつの干渉電力推定と、を足し合わせることによって、合成干渉推定を得ることをさらに含む請求項１３から１７のいずれか一項に記載の方法。
【請求項１９】
前記推定されたＣＳＩが、前記合成干渉推定および測定されたダウンリンクチャネルに基づく請求項１８に記載の方法。
【請求項２０】
前記測定されたダウンリンクチャネルが、前記第１ＮＺＰ  ＣＳＩ−ＲＳ設定に対応する第１ＮＺＰ  ＣＳＩ−ＲＳリソース上で測定される請求項１９に記載の方法。
【請求項２１】
前記ＵＥ（１４）が、コードブック設定を含むＣＳＩフィードバック要求を受信することをさらに含む請求項１から２０のいずれか一項に記載の方法。
【請求項２２】
処理回路（３２）を備えるユーザ装置（１４）であって、該処理回路（３２）は、前記ＵＥ（１４）に、
シグナリングを受信することであって、前記シグナリングは、チャネル測定用の第１非ゼロ電力、ＮＺＰ、チャネル状態情報、ＣＳＩ、参照信号、ＲＳ、設定と、干渉測定用の第２ＮＺＰ  ＣＳＩ−ＲＳ設定と、干渉測定用のＣＳＩ干渉測定、ＣＳＩ−ＩＭ、設定と、を含む、受信することと、
前記シグナリングされた第１ＮＺＰ  ＣＳＩ−ＲＳ設定と前記第２ＮＺＰ  ＣＳＩ−ＲＳ設定と、前記ＣＳＩ−ＩＭ設定と、に少なくとも部分的に基づいて、ＣＳＩを推定することと、を行わせるよう構成されるユーザ装置（１４）。
【請求項２３】
前記第２ＮＺＰ  ＣＳＩ−ＲＳ設定が、前記干渉測定用のＫ個（Ｋ≧１）のＮＺＰ  ＣＳＩ−ＲＳリソースを設定するためのものである請求項２２に記載のＵＥ（１４）。
【請求項２４】
前記Ｋ個のＮＺＰ  ＣＳＩ−ＲＳリソースにおいて測定された前記干渉測定がマルチユーザ複数入力複数出力、ＭＵ−ＭＩＭＯ、干渉に対応する請求項２３に記載のＵＥ（１４）。
【請求項２５】
Ｋ＋１が、マルチユーザ複数入力複数出力、ＭＵ−ＭＩＭＯ、通信のユーザ装置候補の数に対応する請求項２３または２４に記載のＵＥ（１４）。
【請求項２６】
前記第２ＮＺＰ  ＣＳＩ−ＲＳ設定がマルチユーザ、ＭＵ、干渉測定のためのものである請求項２２から２５のいずれか一項に記載のＵＥ（１４）。
【請求項２７】
前記ＣＳＩ−ＩＭ設定がセル間干渉測定のためのものである請求項２２から２６のいずれか一項に記載のＵＥ（１４）。
【請求項２８】
前記受信されたシグナリングがさらにコードブック設定を含む請求項２２から２７のいずれか一項に記載のＵＥ（１４）。
【請求項２９】
前記処理回路（３２）は、前記コードブック設定に基づいて前記ＣＳＩを推定するようさらに構成されることによって、前記ＵＥ（１４）に前記ＣＳＩを推定させるよう構成される請求項２８に記載のＵＥ（１４）。
【請求項３０】
前記処理回路（３２）はさらに、前記ＵＥ（１４）に、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、前記コードブック設定と、に基づいて、ＣＳＩのＣＳＩフィードバック要求を受信させるよう構成される請求項２８または２９に記載のＵＥ（１４）。
【請求項３１】
前記処理回路（３２）はさらに、前記ＵＥ（１４）に、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、に基づいて、ＣＳＩのＣＳＩフィードバック要求を受信させるよう構成される請求項２２から２９のいずれか一項に記載のＵＥ（１４）。
【請求項３２】
前記処理回路（３２）は、前記第１ＮＺＰ  ＣＳＩ−ＲＳ設定に対応する第１ＮＺＰ  ＣＳＩ−ＲＳリソース上のダウンリンクチャネルを測定するようさらに構成されることによって、前記ＵＥ（１４）に前記ＣＳＩを推定させるよう構成される請求項２２から３１のいずれか一項に記載のＵＥ（１４）。
【請求項３３】
前記処理回路（３２）は、前記第２ＮＺＰ  ＣＳＩ−ＲＳ設定に対応するＫ個のＮＺＰ  ＣＳＩ−ＲＳリソースのそれぞれ上の干渉を測定するようさらに構成されることによって、前記ＵＥ（１４）に、前記ＣＳＩを推定させるよう構成される請求項２２から３２のいずれか一項に記載のＵＥ（１４）。
【請求項３４】
前記処理回路（３２）は、前記Ｋ個のＮＺＰ  ＣＳＩ−ＲＳリソースのそれぞれ上の前記干渉を測定することによりＫ個の干渉電力推定が生じるよう構成される請求項３３に記載のＵＥ（１４）。
【請求項３５】
前記処理回路（３２）は、前記Ｋ個の干渉電力推定のそれぞれを、前記Ｋ個のＮＺＰ  ＣＳＩ−ＲＳリソースに関連付けられた電力スケーリングファクタに従ってスケーリングするよう構成される請求項３４に記載のＵＥ（１４）。
【請求項３６】
前記第２ＮＺＰ  ＣＳＩ−ＲＳ設定が、前記干渉測定の前記第２ＮＺＰ  ＣＳＩ−ＲＳ設定によって設定されたＫ個のＮＺＰ  ＣＳＩ−ＲＳリソースのそれぞれの電力スケーリングファクタを含む請求項２２から３５のいずれか一項に記載のＵＥ（１４）。
【請求項３７】
前記処理回路（３２）は、前記ＣＳＩ−ＩＭ設定に対応する少なくともひとつのＣＳＩ−ＩＭリソース上の干渉を測定するようさらに構成されることによって、前記ＵＥ（１４）に、前記ＣＳＩを推定させるよう構成される請求項２２から３６のいずれか一項に記載のＵＥ（１４）。
【請求項３８】
前記処理回路（３２）は、前記少なくともひとつのＣＳＩ−ＩＭリソース上の前記干渉を測定することにより少なくともひとつの干渉電力推定が生じるよう構成される請求項３７に記載のＵＥ（１４）。
【請求項３９】
前記処理回路（３２）は、前記ＵＥ（１４）に、少なくとも、前記Ｋ個のＮＺＰ  ＣＳＩ−ＲＳリソースに基づく前記Ｋ個の干渉電力推定と、前記少なくともひとつのＣＳＩ−ＩＭリソースに基づく前記少なくともひとつの干渉電力推定と、を足し合わせることによって、合成干渉推定を取得させるよう構成される請求項３４から３８のいずれか一項に記載のＵＥ（１４）。
【請求項４０】
前記処理回路（３２）は、前記ＵＥ（１４）に、前記合成干渉推定および測定されたダウンリンクチャネルに基づいて前記ＣＳＩを推定させるよう構成される請求項３９に記載のＵＥ（１４）。
【請求項４１】
前記測定されたダウンリンクチャネルが、前記第１ＮＺＰ  ＣＳＩ−ＲＳ設定に対応する第１ＮＺＰ  ＣＳＩ−ＲＳリソース上で測定される請求項４０に記載のＵＥ（１４）。
【請求項４２】
前記処理回路（３２）はさらに、前記ＵＥ（１４）に、コードブック設定を含むＣＳＩフィードバック要求を受信させるよう構成される請求項２２から４１のいずれか一項に記載のＵＥ（１４）。
【請求項４３】
基地局（１２）の方法であって、前記方法は、
前記基地局（１２）が、ユーザ装置、ＵＥ（１４）、に、チャネル測定用の第１非ゼロ電力、ＮＺＰ、チャネル状態情報、ＣＳＩ、参照信号、ＲＳ、設定と、干渉測定用の第２ＮＺＰ  ＣＳＩ−ＲＳ設定と、干渉測定用のＣＳＩ干渉測定、ＣＳＩ−ＩＭ、設定と、をシグナリングすること（Ｓ１００）と、
前記基地局（１２）が、前記ＵＥ（１４）からのＣＳＩレポートを受信すること（Ｓ１０６）であって、前記ＣＳＩレポートが、前記シグナリングされた第１ＮＺＰ  ＣＳＩ−ＲＳ設定と、前記第２ＮＺＰ  ＣＳＩ−ＲＳ設定と、前記ＣＳＩ−ＩＭ設定と、に少なくとも部分的に基づくものである、受信することと、を含む方法。
【請求項４４】
前記第２ＮＺＰ  ＣＳＩ−ＲＳ設定が、前記干渉測定用のＫ個（Ｋ≧１）のＮＺＰ  ＣＳＩ−ＲＳリソースを設定するためのものである請求項４３に記載の方法。
【請求項４５】
前記Ｋ個のＮＺＰ  ＣＳＩ−ＲＳリソースにおいて測定された前記干渉測定がマルチユーザ複数入力複数出力、ＭＵ−ＭＩＭＯ、干渉に対応する請求項４４に記載の方法。
【請求項４６】
Ｋ＋１が、マルチユーザ複数入力複数出力、ＭＵ−ＭＩＭＯ、通信のユーザ装置候補の数に対応する請求項４４または４５に記載の方法。
【請求項４７】
前記第２ＮＺＰ  ＣＳＩ−ＲＳ設定がマルチユーザ、ＭＵ、干渉測定のためのものである請求項４３から４６のいずれか一項に記載の方法。
【請求項４８】
前記ＣＳＩ−ＩＭ設定がセル間干渉測定のためのものである請求項４３から４７のいずれか一項に記載の方法。
【請求項４９】
前記シグナリングすること（Ｓ１００）がさらに、コードブック設定をシグナリングすることを含む請求項４３から４８のいずれか一項に記載の方法。
【請求項５０】
前記受信されたＣＳＩレポートが、前記シグナリングされたコードブック設定に少なくとも部分的に基づく請求項４９に記載の方法。
【請求項５１】
前記基地局（１２）から、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、前記コードブック設定と、に基づいて、ＣＳＩのＣＳＩフィードバック要求を前記ＵＥ（１４）に送信すること（Ｓ１０２）をさらに含む請求項４９または５０に記載の方法。
【請求項５２】
前記基地局（１２）から、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、に基づいて、ＣＳＩのＣＳＩフィードバック要求を前記ＵＥ（１４）に送信すること（Ｓ１０２）をさらに含む請求項４３から５０のいずれか一項に記載の方法。
【請求項５３】
前記基地局（１２）から、前記第１ＮＺＰ  ＣＳＩ−ＲＳ設定および前記第２ＮＺＰ  ＣＳＩ−ＲＳ設定の前記シグナリングによって設定されたＫ＋１個のＮＺＰ  ＣＳＩ−ＲＳリソースを介して、Ｋ＋１個のＮＺＰ  ＣＳＩ参照信号、ＲＳ、を送信すること（Ｓ１０４）をさらに含む請求項４３から５２のいずれか一項に記載の方法。
【請求項５４】
前記基地局（１２）が前記ＵＥ（１４）にシグナリングすることが、無線リソース制御シグナリングを介して準静的にシグナリングすることを含む請求項４３から５３のいずれか一項に記載の方法。
【請求項５５】
前記基地局（１２）から前記ＣＳＩフィードバック要求を前記ＵＥ（１４）に送信することが、前記ＣＳＩフィードバック要求をダウンリンク制御チャネルを介して動的に送信することを含む請求項５２から５４のいずれか一項に記載の方法。
【請求項５６】
前記第２ＮＺＰ  ＣＳＩ−ＲＳ設定が、前記干渉測定の前記第２ＮＺＰ  ＣＳＩ−ＲＳ設定によって設定されたＫ個のＮＺＰ  ＣＳＩ−ＲＳリソースのそれぞれの電力スケーリングファクタを含む請求項４３から５５のいずれか一項に記載の方法。
【請求項５７】
前記受信されたＣＳＩレポートが合成干渉推定および測定されたダウンリンクチャネルに基づくものであり、前記合成干渉推定が、少なくとも、前記第２ＮＺＰ  ＣＳＩ−ＲＳ設定によって設定されたＫ個のＮＺＰ  ＣＳＩ−ＲＳリソースに基づくＫ個の干渉電力推定と、前記ＣＳＩ−ＩＭ設定によって設定された少なくともひとつのＣＳＩ−ＩＭリソースに基づく少なくともひとつの干渉電力推定と、の和であり、前記測定されたダウンリンクチャネルが、前記第１ＮＺＰ  ＣＳＩ−ＲＳ設定に対応する第１ＮＺＰ  ＣＳＩ−ＲＳリソースに基づく請求項４３から５６のいずれか一項に記載の方法。
【請求項５８】
前記基地局（１２）から、コードブック設定を含むＣＳＩフィードバック要求を送信することをさらに含む請求項４３から５７のいずれか一項に記載の方法。
【請求項５９】
処理回路（２０）を備える基地局（１２）であって、前記処理回路（２０）は、前記基地局（１２）に、
ユーザ装置、ＵＥ（１４）に、チャネル測定用の第１非ゼロ電力、ＮＺＰ、チャネル状態情報、ＣＳＩ、参照信号、ＲＳ、設定と、干渉測定用の第２ＮＺＰ  ＣＳＩ−ＲＳ設定と、干渉測定用のＣＳＩ干渉測定、ＣＳＩ−ＩＭ、設定と、をシグナリングすることと、
前記ＵＥ（１４）からのＣＳＩレポートを受信することであって、前記ＣＳＩレポートが、前記シグナリングされた第１ＮＺＰ  ＣＳＩ−ＲＳ設定と、前記第２ＮＺＰ  ＣＳＩ−ＲＳ設定と、前記ＣＳＩ−ＩＭ設定と、に少なくとも部分的に基づくものである、受信することと、を行わせるよう構成される基地局（１２）。
【請求項６０】
前記第２ＮＺＰ  ＣＳＩ−ＲＳ設定が、前記干渉測定用のＫ個（Ｋ≧１）のＮＺＰ  ＣＳＩ−ＲＳリソースを設定するためのものである請求項５９に記載の基地局（１２）。
【請求項６１】
前記Ｋ個のＮＺＰ  ＣＳＩ−ＲＳリソースにおいて測定された前記干渉測定がマルチユーザ複数入力複数出力、ＭＵ−ＭＩＭＯ、干渉に対応する請求項６０に記載の基地局（１２）。
【請求項６２】
Ｋ＋１が、マルチユーザ複数入力複数出力、ＭＵ−ＭＩＭＯ、通信のユーザ装置候補の数に対応する請求項６０または６１に記載の基地局（１２）。
【請求項６３】
前記第２ＮＺＰ  ＣＳＩ−ＲＳ設定がマルチユーザ、ＭＵ、干渉測定のためのものである請求項６０から６２のいずれか一項に記載の基地局（１２）。
【請求項６４】
前記ＣＳＩ−ＩＭ設定がセル間干渉測定のためのものである請求項６０から６３のいずれか一項に記載の基地局（１２）。
【請求項６５】
前記処理回路（２０）は、コードブック設定をシグナリングするようさらに構成されることによって、前記ＵＥ（１４）にシグナリングするよう構成される請求項６０から６４のいずれか一項に記載の基地局（１２）。
【請求項６６】
前記受信されたＣＳＩレポートが、前記シグナリングされたコードブック設定に少なくとも部分的に基づく請求項６５に記載の基地局（１２）。
【請求項６７】
前記処理回路（２０）はさらに、前記ＵＥ（１４）に、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、前記コードブック設定と、に基づいて、ＣＳＩのＣＳＩフィードバック要求を送信する（Ｓ１０２）よう構成される請求項６５または６６に記載の基地局（１２）。
【請求項６８】
前記処理回路（２０）はさらに、前記ＵＥ（１４）に、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、に基づいて、ＣＳＩのＣＳＩフィードバック要求を送信するよう構成される請求項６０から６６のいずれか一項に記載の基地局（１２）。
【請求項６９】
前記処理回路（２０）はさらに、前記第１ＮＺＰ  ＣＳＩ−ＲＳ設定および前記第２ＮＺＰ  ＣＳＩ−ＲＳ設定の前記シグナリングによって設定されたＫ＋１個のＮＺＰ  ＣＳＩ−ＲＳリソースを介して、Ｋ＋１個のＮＺＰ  ＣＳＩ参照信号、ＲＳ、を送信するよう構成される請求項６０から６８のいずれか一項に記載の基地局（１２）。
【請求項７０】
前記処理回路（２０）は、無線リソース制御シグナリングを介して準静的にシグナリングするようさらに構成されることによって、前記ＵＥ（１４）にシグナリングするよう構成される請求項６０から６９のいずれか一項に記載の基地局（１２）。
【請求項７１】
前記処理回路（２０）は、ダウンリンク制御チャネルを介して前記ＣＳＩフィードバック要求を動的に送信するようさらに構成されることによって、前記ＵＥ（１４）に前記ＣＳＩフィードバック要求を送信するよう構成される請求項６７から７０のいずれか一項に記載の基地局（１２）。
【請求項７２】
前記処理回路（２０）は、前記干渉測定用の前記第２ＮＺＰ  ＣＳＩ−ＲＳ設定によって設定されたＫ個のＮＺＰ  ＣＳＩ−ＲＳリソースのそれぞれの電力スケーリングファクタを含む前記第２ＮＺＰ  ＣＳＩ−ＲＳ設定をシグナリングするようさらに構成されることによって、前記ＵＥ（１４）にシグナリングするよう構成される請求項６０から７１のいずれか一項に記載の基地局（１２）。
【請求項７３】
前記受信されたＣＳＩレポートが合成干渉推定および測定されたダウンリンクチャネルに基づくものであり、前記合成干渉推定が、少なくとも、前記第２ＮＺＰ  ＣＳＩ−ＲＳ設定によって設定されたＫ個のＮＺＰ  ＣＳＩ−ＲＳリソースに基づくＫ個の干渉電力推定と、前記ＣＳＩ−ＩＭ設定によって設定された少なくともひとつのＣＳＩ−ＩＭリソースに基づく少なくともひとつの干渉電力推定と、の和であり、前記測定されたダウンリンクチャネルが、前記第１ＮＺＰ  ＣＳＩ−ＲＳ設定に対応する第１ＮＺＰ  ＣＳＩ−ＲＳリソースに基づく請求項６０から７２のいずれか一項に記載の基地局（１２）。
【請求項７４】
前記処理回路（２０）はさらに、コードブック設定を含むＣＳＩフィードバック要求を送信するよう構成される請求項６０から７３のいずれか一項に記載の基地局（１２）。
【発明の詳細な説明】
【技術分野】
【０００１】
無線通信および、特に、マルチユーザ複数入力複数出力（ＭＵ−ＭＩＭＯ）デバイスのための干渉測定に関する。
【背景技術】
【０００２】
次世代モバイル無線通信システム（５Ｇ）またはニューラジオ（ＮＲ）は様々なユースケースや様々な利用シナリオをサポートする。後者は、既存の（ロングタームエボリューション）ＬＴＥシステムと同様の低周波数（数百ＭＨｚ）と超高周波（例えば数十ＧＨｚのミリ波）との両方での利用を含む。ＬＴＥと同様に、ＮＲは、ダウンリンク（すなわち、ネットワークノード、ｇＮＢ、ｅＮＢ、または基地局（ＢＳ）から無線デバイス（ＷＤ）へ）において直交周波数分割多重（ＯＦＤＭ）を使用することができる。アップリンク（すなわち、無線デバイスからネットワークノードへ）では、ＯＦＤＭおよび、ＬＴＥにおいてシングルキャリア周波数分割多元接続（ＳＣ−ＦＤＭＡ）としても知られている離散フーリエ変換（ＤＦＴ）拡散ＯＦＤＭ（ＤＦＴ−Ｓ−ＯＦＤＭ）の両方がサポートされ得る。
【０００３】
基本的なＮＲの物理リソースを、図１（ＬＴＥ物理リソースのブロック図である）に示されるようなＬＴＥのグリッドと同様の、時間−周波数グリッドとして見ることができ、そこでは、各リソース要素がひとつのＯＦＤＭシンボル間隔中のひとつのＯＦＤＭサブキャリアに対応する。図１には、サブキャリアスペーシングとしてΔｆ＝１５ｋＨｚが示されているが、ＮＲでは異なるサブキャリアスペーシング値がサポートされる。ＮＲでサポートされるサブキャリアスペーシング値（異なる数理とも称される）はΔｆ＝（１５×２α）ｋＨｚで与えられ、ここでαは非負の整数である。
【０００４】
さらに、ＬＴＥにおけるリソース割り当ては典型的にはリソースブロック（ＲＢ）で説明され、そこでは、リソースブロックは時間ドメインにおいてひとつのスロット（０．５ｍｓ）に対応し、周波数ドメインにおいて１２個の連続的なサブキャリアに対応する。リソースブロックは周波数ドメインにおいて番号付けされ、システム帯域の一端から０で開始する。ＮＲの場合、リソース割り当ては、周波数ドメインにおけるリソースブロックと、時間ドメインにおけるＯＦＤＭシンボルとによって記述される。また、ＮＲにおけるリソースブロックは、周波数において１２個のサブキャリアであってもよい。ＲＢは、本明細書では物理ＲＢ（ＰＲＢ）とも呼ばれる。図２に示されるように、時間ドメインでは、ＮＲにおけるダウンリンクおよびアップリンク送信はＬＴＥと同様の等しいサイズのサブフレームに編成され得る。図２は、１５ｋＨｚのサブキャリア間隔を有するＬＴＥ時間ドメイン構造のブロック図である。ＮＲでは、サブフレームは等しい持続時間の複数のスロットにさらに分割され得る。ＮＲにおけるデータスケジューリングは、ＬＴＥにおけるようにサブフレームベース、またはスロットベースのいずれかでありうる。ＮＲでは、用いられる数理によらず、サブフレームの長さは１ｍｓに固定されていてもよい。ＮＲでは、スロットごとに１４個のＯＦＤＭシンボルを仮定した場合、（１５×２α）ｋＨｚの数理のスロット継続期間は１／２αｍｓによって与えられてもよい。そして、サブフレームごとのスロット数は数理に依存する。便宜上、本明細書ではサブフレームが使用される。
【０００５】
ダウンリンク送信は、動的にスケジュールされ、すなわち、各サブフレームにおいて、ｇＮＢは、どのデータが送信されるべきか、およびデータが現在のダウンリンクサブフレーム中のどのリソースブロック上で送信されるかについてのダウンリンク制御情報（ＤＣＩ）を送信する。この制御シグナリングは、典型的にはＮＲにおける各サブフレームにおける最初の数個のＯＦＤＭシンボルにおいて送信される。制御情報は物理ダウンリンク制御チャネル（ＰＤＣＣＨ）上で搬送されてもよく、データは物理ダウンリンク共有チャネル（ＰＤＳＣＨ）上で搬送されてもよい。無線デバイスは最初にＰＤＣＣＨを検出して復号し、ＰＤＣＣＨが正常に復号された場合、無線デバイスは、ＰＤＣＣＨ内の復号された制御情報に基づいて対応するＰＤＳＣＨを復号する。
【０００６】
アップリンクデータ送信はまた、ＰＤＣＣＨを使用して動的にスケジュールされてもよい。ダウンリンクと同様に、無線デバイスはまず、ＰＤＣＣＨ内のアップリンクグラントを復号し、次いで、変調順序、符号化レート、アップリンクリソース割り当てなどのアップリンクグラント内の復号された制御情報に基づいて、物理アップリンク共有チャネル（ＰＵＳＣＨ）を介してデータを送信する。
【０００７】
空間多重化
マルチアンテナ技術は、無線通信システムのデータレートおよび信頼性を顕著に増大させうる。送信器および受信器の両方が複数のアンテナを備える場合、すなわち複数入力複数出力（ＭＩＭＯ）通信チャネルが実現する場合、性能が特に改善する可能性がある。そのようなシステムおよび／または関連技術はＭＩＭＯと総称される。ＬＴＥおよびＮＲにおけるコアコンポーネントはＭＩＭＯアンテナ展開およびＭＩＭＯ関連技術のサポートである。空間多重化は、好ましいチャネル状態において高いデータレートを達成するために使用されるＭＩＭＯ技術の１つである。空間多重化動作の例が、ＬＴＥにおけるプレコーディングされた空間多重化モードの例示的な送信構造を示す図３に提供される。
【０００８】
図３に示されるように、シンボルベクトルｓ＝［ｓ１、ｓ２、．．．、ｓｒ］Ｔを運ぶ情報にＮＴ×ｒ個のプレコーダ行列Ｗを乗じる。この行列はＮＴ次元（ＮＴ個のアンテナポートに対応する）ベクトル空間の部分空間に送信エネルギを分布させるためのものである。プレコーダ行列は典型的には可能なプレコーダ行列のコードブックから選択され、典型的にはプレコーダ行列インジケータ（ＰＭＩ）によって示される。ＰＭＩは、所与の数のシンボルストリームに対して、コードブック内のプレコード行列を一意に特定する。ｓ＝［ｓ１、ｓ２、．．．、ｓｒ］Ｔ内のシンボルのそれぞれはＭＩＭＯレイヤに対応し、ｒは送信ランクと称されてもよい。このようにして、複数のシンボルが同じ時間／周波数リソース要素（ＲＥ）を介して同時に伝送されうるので、空間多重化が達成されうる。シンボルの数ｒは典型的には現在のチャネル特性に適するように適合される。
【０００９】
ＮＲ個の受信アンテナを伴うＵＥにおいて所定のＲＥｎで受信される信号は以下で与えられる。
ｙｎ＝ＨｎＷｓ＋ｅｎ
ここで、ｙｎはＮＲ×１個の受信信号ベクトル、ＨｎはＮＲ×ＮＴ個のＲＥにおけるチャネル行列、ｅｎは、ＵＥによってＲＥにおいて受信されるＮＲ×１個のノイズおよび干渉ベクトルである。プレコーダＷは、周波数に亘って一定である広帯域プレコーダであってもよいし、周波数選択的、すなわち周波数に亘って異なるものであってもよい。多くの場合、プレコーダ行列はＮＲ×ＮＴＭＩＭＯチャネル行列Ｈｎの特性をマッチさせるよう選択され、これはチャネル依存プレコーディングと称されてもよい。これはまた、閉ループプレコーディングとよく称され、基本的には、送信エネルギの大部分を無線デバイスへ運ぶ意味で強力な部分空間へと送信エネルギを集中させようとするものである。加えて、プレコーダ行列はまた、チャネルを直交化することを目指して選択されてもよい。これは、無線デバイスにおける適切な線形等化の後、レイヤ間干渉が低減されうることを意味する。
【００１０】
送信ランク、およびしたがって空間多重されたレイヤの数、は、プレコーダの列の数に反映される。送信ランクはまた、無線デバイスにおいて観測される信号対雑音プラス干渉比（ＳＩＮＲ）に依存し得る。典型的には、より高いランクを有する送信にはより高いＳＩＮＲが必要とされる。効率的なパフォーマンスのためには、干渉と同様にチャネル特性にもマッチする送信ランクが選択されることが重要であり得る。
【００１１】
チャネル状態情報参照信号（ＣＳＩ−ＲＳ）
ＬＴＥでは、送信モード９と１０のダウンリンクにおけるチャネル推定についてＣＳＩ−ＲＳが導入された。固有のＣＳＩ−ＲＳは、各ネットワークノード送信アンテナ（またはアンテナポート）に割り当てられてもよく、送信アンテナポートのそれぞれに関連するダウンリンクチャネルを測定するためにＵＥによって使用されてもよい。ＣＳＩ参照信号は、１〜３２個のアンテナポートに対して定義される。アンテナポートは、ＣＳＩ−ＲＳポートとも呼ばれることがある。ＣＳＩ−ＲＳは、あるＲＥおよびサブフレームにおいて送信される。図４は、ＬＴＥにおける各ＰＲＢにおけるＣＳＩ−ＲＳ割り当てのために利用可能なＲＥのブロック図である。図４は、ＬＴＥの各ＰＲＢにおけるＣＳＩ−ＲＳ割当に利用可能なＲＥを示している。ＣＳＩ−ＲＳのために４０個までのＲＥを設定することができる。
【００１２】
２つのアンテナポートの場合、各アンテナポートのＣＳＩ−ＲＳには、同じサブキャリア内の２つのＲＥと、各ＰＲＢ内の２つの隣接するＯＦＤＭシンボルと、を割り当てることができる。２つのアンテナポートのＣＳＩ−ＲＳ信号は、ＯＣＣ２とも呼ばれる長さ２の直交カバーコード（ＯＣＣ）を使用して多重化される。したがって、２つのアンテナポートに対して、サブフレーム内で利用可能な２０の異なるパターンがある。図５および図６はそれぞれ、ＬＴＥにおける２ポートおよび４ポートのＣＳＩ−ＲＳリソースの例を示す。
【００１３】
ＣＳＩ−ＲＳを測定することで、無線デバイスはそのＣＳＩ−ＲＳが伝搬しているチャネルを、無線伝搬チャネルおよびアンテナ利得を含めて推定することができる。この種のＣＳＩ−ＲＳは、非ゼロ電力（ＮＺＰ）ＣＳＩ−ＲＳとも呼ばれる。ＮＺＰ  ＣＳＩ−ＲＳに加えて、ゼロ電力（ＺＰ）ＣＳＩ−ＲＳがＬＴＥに導入された。ＺＰ  ＣＳＩ−ＲＳは、１つ以上の４ポートＣＳＩ−ＲＳリソース上に定義することができる。その目的は、関連するＲＥがネットワークノードでミュートされていることを無線デバイスに示すことであった。ＺＰ  ＣＳＩ−ＲＳを、隣接セル内のＮＺＰ  ＣＳＩ−ＲＳと完全に重なり合うように割り当てることによって、このセルによって生成される干渉がなくなるので、隣接セル内の無線デバイスによるチャネル推定を改善することができる。ＺＰ−ＣＳＩ−ＲＳリソースの例を図７に示し、そこでは、ＺＰ  ＣＳＩ−ＲＳがＰＲＢあたり８ＲＥ（すなわち、４ポートＣＳＩ−ＲＳリソースを二つ）を占める。図７は、したがって、ＮＺＰ  ＣＳＩ−ＲＳとＺＰ  ＣＳＩ−ＲＳのブロック図である。
【００１４】
ＬＴＥリリース（Ｒｅｌ）１１では、無線デバイスが干渉を測定するためにＣＳＩ干渉測定（ＣＳＩ−ＩＭ）リソースも導入された。ＣＳＩ−ＩＭリソースは、ＺＰ  ＣＳＩ−ＲＳと完全に重なり合う可能性のある４ポートＣＳＩ−ＲＳリソースとして定義することができる。ＣＳＩプロセスは、チャネル推定用のＮＺＰ  ＣＳＩ−ＲＳリソースと、干渉および雑音推定用のＣＳＩ−ＩＭリソースとによって定義され得る。無線デバイスはＣＳＩ−ＲＳプロセスのための実効チャネルおよび雑音プラス干渉を推定し、その結果、ランク、プレコーディング行列、およびチャネル品質を決定することができる。図８は、ＮＺＰ  ＣＳＩ−ＲＳ、ＺＰ  ＣＳＩ−ＲＳおよびＣＳＩ−ＩＭのブロック図である。
【００１５】
ＣＳＩフィードバック
ＣＳＩフィードバックについて、ＬＴＥは、ダウンリンクチャネル状態情報の無線デバイスフィードバックが送信ランクインジケータ（ＲＩ）、プレコーディング行列インジケータ（ＰＭＩ）、および１つまたは２つのチャネル品質インジケータ（ＣＱＩ）に関するものであるような、暗黙のＣＳＩメカニズムを採用した。ＣＱＩ／ＲＩ／ＰＭＩ報告は、どの報告モードが設定されるかに応じて、広帯域または周波数選択的とすることができる。ＲＩは、空間的に多重化され、したがって、有効チャネルを介して並列に送信されることになる推奨される数のレイヤに対応する。ＰＭＩは、推奨されるプレコーダを特定する。ＣＱＩは各トランスポートブロックの、推奨される変調レベル（すなわち、ＱＰＳＫ、１６ＱＡＭなど）および符号化レートを表す。ＬＴＥは、サブフレームにおける、無線デバイスへの１つまたは２つのトランスポートブロック（すなわち、別々に符号化された情報ブロック）の送信をサポートする。したがって、ＣＱＩと、１つまたは複数のトランスポートブロックが空間レイヤを介して送信されるときのその空間レイヤのＳＩＮＲと、の間には関係がある。
【００１６】
ビームフォーミングされたＣＳＩ−ＲＳ
ビームフォーミングされた（またはプレコーディングされた）ＣＳＩ−ＲＳコンセプトは、ＣＳＩ−ＲＳがプレコーディングされ、２つ以上のアンテナポートを介して送信されるＬＴＥにおいて導入された。これは、各ＣＳＩ−ＲＳが１つのアンテナポート上で送信される、プレコーディングされていないＣＳＩ−ＲＳとは対照的である。ビームフォーミングされたＣＳＩ−ＲＳは、ひとつ以上の無線デバイスの方向がおおむね分かっている場合に使用することができ、この場合、ＣＳＩ−ＲＳを、ひとつ以上の狭いビームで送信し、ひとつ以上の無線デバイスに到達させることができる。これは、増加されたビームフォーミング利得を用いてＣＳＩ−ＲＳカバレージを改善し、また、ＣＳＩ−ＲＳリソースおよびＣＳＩフィードバックオーバヘッドを低減することができる。
【００１７】
プレコーディングされていないＣＳＩ−ＲＳベースのフィードバックは「クラスＡ」ＣＳＩフィードバックと呼ばれ、ビームフォーミングされたＣＳＩ−ＲＳ動作は「クラスＢ」ＣＳＩフィードバックと呼ばれる。クラスＢ  ＣＳＩフィードバックでは、無線デバイスはそれぞれが８つまでのポートを有する、８つまでのＣＳＩ−ＲＳリソース（すなわち、複数のＣＳＩ−ＲＳビーム）を用いて設定されうる。無線デバイスは最良のビームと、選択されたビーム内の対応するＣＱＩ、ＲＩ、ＰＭＩとを示すために、ＣＳＩ−ＲＳリソースインジケータ（ＣＲＩ）を報告する。
【００１８】
８ポートまでの１つのＣＳＩ−ＲＳリソースを持つクラスＢ動作用に設定された無線デバイスは特別な場合であり、そこでは、各ＣＳＩ−ＲＳポートは特定のビームに対応することができる。その場合、無線デバイスは、ポート選択および結合コードブックを使用するように構成され得る。
【００１９】
ハイブリッドクラスＡおよびクラスＢのＣＳＩ報告もサポートされ得る。１つのシナリオでは、クラスＡが無線デバイスのおおよその方向を特定するために使用され、クラスＢはＣＳＩを「微調整」するために使用される。
【００２０】
ＭＵ−ＭＩＭＯ
すべてのデータレイヤが１つの無線デバイスに送信されるとき、それは単一ユーザ複数入力複数出力またはＳＵ−ＭＩＭＯと呼ばれてもよい。一方、データレイヤが複数の無線デバイスに送信される場合、それは、マルチユーザＭＩＭＯまたはＭＵ−ＭＩＭＯと呼ばれてもよい。ＭＵ−ＭＩＭＯは例えば、２つの無線デバイスがセルの異なる領域に位置し、したがって、それらが例えばｅＮＢ／ｇＮＢなどのネットワークノードにおいて異なるプレコーダ（またはビーム）を通じて分離可能な場合に可能である。２つの無線デバイスは、異なるプレコーダまたはビームを使用することによって、同じ時間−周波数リソース（たとえば、ＰＲＢ）上で担当され得る。ＭＵ−ＭＩＭＯは、ネットワークノードが無線デバイスを分離するためにプレコーディングを使用するために、すなわち、共スケジュールされた無線デバイスへの相互干渉を低減するために、ＳＵ−ＭＩＭＯにおけるよりもはるかに正確なダウンリンクチャネル情報を必要とし得る。その目的のために、ＬＴＥにおいて、高度なＣＳＩフィードバックが導入され、そこでは、より正確なダウンリンクチャネル情報を捕捉することを試みる新しいコードブックが定義された。ＮＲでは、タイプＩＩコードブックが同じ目的のために設計されてもよい。
【００２１】
ＭＵ−ＭＩＭＯ干渉
ＭＵ−ＭＩＭＯでは、セル間干渉とも呼ばれる他のセルからの干渉に加えて、ＭＵ−ＭＩＭＯに参加するＵＥ間の干渉（セル内干渉またはＭＵ干渉とも呼ばれる）も、無線デバイスによって経験され得る。ＭＵ−ＭＩＭＯにおいて対にされた無線デバイスへの送信の動的な性質のために、ＭＵ干渉を測定または推定することがより困難であり得る。データ送信において同じ時間周波数リソースを共有するＫ＋１個の無線デバイスがあると仮定すると、ｋ番目（ｋ＝１，２，．．．，Ｋ＋１）の無線デバイスおよびｉ番目のＲＥにおける受信信号は以下のように表されうる。
【数１】
2020520151.tif 000003
ここで、Ｈｋ（ｉ）、Ｗｋ（ｉ）、ｓｋ（ｉ）は、チャネル行列、プレコーディング行列およびｉ番目のＲＥにおけるｋ番目の無線デバイスに関連付けられたデータベクトルである。ｋ番目の無線デバイスにおいて経験されるＭＵ干渉は以下のように表されうる
【数２】
2020520151.tif 000004
また、ｅｋ（ｉ）はｋ番目の無線デバイスにおいて受信されるノイズプラスセル間干渉であってもよい。典型的には、既存のＬＴＥ  ＣＳＩフィードバックにおいてはｅｋ（ｉ）のみ考慮される。
【００２２】
ＬＴＥで定義されている既存のＣＳＩ報告は、主にＳＵ−ＭＩＭＯ動作用であり、そこでは、無線デバイスはチャネル測定用の１つのＣＳＩ−ＲＳリソースおよび干渉測定用の１つのＣＳＩ−ＩＭリソースで設定されている。ＬＴＥおよびＮＲの両方においてサポートされるアンテナポート数が増加しているため、ＭＵ−ＭＩＭＯをサポートすることはさらに重要になっている。ＬＴＥにおける既存のＣＳＩフィードバックは、ＭＵ−ＭＩＭＯをサポートするのに十分ではない可能性がある。理論的には、ＺＰ−ＣＳＩ−ＲＳは、ＺＰ  ＣＳＩ−ＲＳリソースにＭＵ干渉を注入することによって、ＭＵ−ＭＩＭＯ干渉をエミュレートするためにｅＮＢ／ｇＮＢによって使用されることができる。しかしながら、一般的に、各無線デバイスには別個のＺＰ  ＣＳＩ−ＲＳが必要であり、多くの無線デバイスがＭＵ−ＭＩＭＯに参加している場合には必要なＺＰ  ＣＳＩ−ＲＳリソースが大きくなりうる。残念ながら、これは、ＺＰ  ＣＳＩ−ＲＳのオーバヘッドを著しく増加させる可能性がある。
【発明の概要】
【００２３】
いくつかの実施の形態は、ＭＵ−ＭＩＭＯの干渉測定およびＣＳＩフィードバックの方法および装置を提供するので有利である。
【００２４】
第１方法／プロセスによると：
１．まずネットワークノードは、ＬＴＥやＮＲで通常行われるように、担当している無線デバイスからＳＵ−ＭＩＭＯ  ＣＳＩを取得し、ＭＵ−ＭＩＭＯのＫ＋１個（Ｋ＞０）の無線デバイス候補を決定する。
２．ネットワークノードは、Ｋ＋１個のＮＺＰ  ＣＳＩ−ＲＳリソースと、同じサブフレームまたはスロット内のＣＳＩ−ＩＭとしてのひとつの共通ＺＰ  ＣＳＩ−ＲＳと、でＫ＋１個の無線デバイス候補のそれぞれを設定し、各無線デバイスにＣＳＩレポートを要求する。ネットワークノードはまた、Ｋ＋１個のＮＺＰ  ＣＳＩ−ＲＳのそれぞれについて、ＰＤＳＣＨとＮＺＰ  ＣＳＩ−ＲＳとの間のＲＥ当たりエネルギ（ＥＰＲＥ）電力比、
【数３】
2020520151.tif 000005
を設定してもよい。
３．各無線デバイスについて、ネットワークノードはまた、Ｋ＋１個のＮＺＰ  ＣＳＩ−ＲＳリソースのうちのひとつをチャネル測定用として、残りのＫ個のＮＺＰ  ＣＳＩ−ＲＳを干渉測定用として、示してもよい。各無線デバイスはまた、ＣＳＩフィードバック用のコードブックで設定される。
４．各無線デバイスは、ＺＰ−ＣＳＩ−ＲＳリソースを介したセル間干渉、Ｉｉｎｔｅｒ−ｃｅｌｌを測定すると共に、等方的干渉を仮定することによって、すなわち、ＣＳＩ−ＲＳリソースの全てのポートに亘って電力を平均化することによって、干渉測定用に設定されたＫ個のＮＺＰ  ＣＳＩ−ＲＳリソースのそれぞれ上のＭＵ−ＭＩＭＯ干渉、Ｉｍ（ｍ＝１、．．．、Ｋ）を測定する。
５．各無線デバイスは総干渉を
【数４】
2020520151.tif 000006
として推定すると共に、設定されたコードブックに従ってＣＳＩを算出する。
【００２５】
第２方法／プロセスによると：
１．上述の第１方法（方法１）の第１ステップと同様に、すなわち、まずネットワークノードは、ＬＴＥやＮＲで通常行われるように、担当している無線デバイスからＳＵ−ＭＩＭＯ  ＣＳＩを取得し、ＭＵ−ＭＩＭＯのＫ＋１個の無線デバイス候補を決定する。
２．ネットワークノードは、ひとつのＮＺＰ  ＣＳＩ−ＲＳリソースおよびひとつのＺＰ  ＣＳＩ−ＲＳでＫ＋１個（Ｋ＞０）の無線デバイス候補のそれぞれを設定する。ＺＰ  ＣＳＩ−ＲＳは同じサブフレームまたはスロット内でＫ＋１個の無線デバイスに共通であり、各無線デバイスにＣＳＩレポートを要求する。ひとつ以上の実施の形態では、ネットワークノードはまた、ＰＤＳＣＨとＮＺＰ  ＣＳＩ−ＲＳとの間のＲＥ当たりエネルギ（ＥＰＲＥ）電力比、
【数５】
2020520151.tif 000007
をシグナリングする。
３．ネットワークノードは、Ｋ＋１個の無線デバイスの全てについてのＭＵ−ＭＩＭＯ信号を表す信号をＺＰ  ＣＳＩ−ＲＳリソースにおいて送信する、すなわち、ＺＰ  ＣＳＩ−ＲＳリソース上で信号
【数６】
2020520151.tif 000008
を送信する。ここで、Ｗｋおよびｓｋはｋ番目の無線デバイスに関連付けられたプレコーディング行列および信号である。
４．各無線デバイスは、ＺＰ−ＣＳＩ−ＲＳリソースを介した干渉、ＩＺＰを測定し、ＮＺＰ  ＣＳＩ−ＲＳリソースを介したプレコーディングされた信号電力ｐｓ＝β・｜｜ＨＷ｜｜＾２を推定する。ここで、Ｈは推定されたチャネル行列であり、Ｗはチャネル推定用に設定されたＮＺＰ  ＣＳＩ−ＲＳリソース上の推定されたプレコーディング行列ベースのチャネル推定である。
５．各無線デバイスは、総干渉としてＩ＝ＩＺＰ−ｐｓを仮定することによってＣＳＩを算出し、設定されたコードブックに従ってチャネル推定Ｈを算出する。
【００２６】
本開示のある態様によると、ＵＥの方法が提供される。方法は、前記ＵＥが、シグナリングを受信することであって、前記シグナリングが以下を含む：チャネル測定用の第１非ゼロ電力（ＮＺＰ）チャネル状態情報参照信号（ＣＳＩ−ＲＳ）設定；干渉測定用の第２ＮＺＰ  ＣＳＩ−ＲＳ設定；干渉測定用のＣＳＩ干渉測定（ＣＳＩ−ＩＭ）設定；受信することと、前記ＵＥが、前記シグナリングされた第１ＮＺＰ  ＣＳＩ−ＲＳ設定と前記第２ＮＺＰ  ＣＳＩ−ＲＳ設定と、前記ＣＳＩ−ＩＭ設定と、に少なくとも部分的に基づいて、ＣＳＩを推定することと、を含む。
【００２７】
本態様によると、ある実施の形態では、前記第２ＮＺＰ  ＣＳＩ−ＲＳ設定が、前記干渉測定用のＫ個（Ｋ≧１）のＮＺＰ  ＣＳＩ−ＲＳリソースを設定するためのものである。ある実施の形態では、前記Ｋ個のＮＺＰ  ＣＳＩ−ＲＳリソースにおいて測定された前記干渉測定がマルチユーザ複数入力複数出力（ＭＵ−ＭＩＭＯ）干渉に対応する。ある実施の形態では、Ｋ＋１が、マルチユーザ複数入力複数出力（ＭＵ−ＭＩＭＯ）通信のユーザ装置候補の数に対応する。ある実施の形態では、前記第２ＮＺＰ  ＣＳＩ−ＲＳ設定がマルチユーザ（ＭＵ）干渉測定のためのものである。ある実施の形態では、前記ＣＳＩ−ＩＭ設定がセル間干渉測定のためのものである。ある実施の形態では、前記シグナリングを受信することがさらに、コードブック設定を含む前記シグナリングを受信することを含む。ある実施の形態では、前記ＣＳＩを推定することがさらに、前記コードブック設定に基づいて前記ＣＳＩを推定することを含む。ある実施の形態では、方法はさらに、前記ＵＥが、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、前記コードブック設定と、に基づいて、ＣＳＩのＣＳＩフィードバック要求を受信することを含む。ある実施の形態では、方法はさらに、前記ＵＥが、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、に基づいて、ＣＳＩのＣＳＩフィードバック要求を受信することを含む。ある実施の形態では、前記ＣＳＩを推定することがさらに、前記第１ＮＺＰ  ＣＳＩ−ＲＳ設定に対応する第１ＮＺＰ  ＣＳＩ−ＲＳリソース上のダウンリンクチャネルを測定することを含む。ある実施の形態では、前記ＣＳＩを推定することがさらに、前記第２ＮＺＰ  ＣＳＩ−ＲＳ設定に対応するＫ個のＮＺＰ  ＣＳＩ−ＲＳリソースのそれぞれ上の干渉を測定することを含む。ある実施の形態では、前記Ｋ個のＮＺＰ  ＣＳＩ−ＲＳリソースのそれぞれ上の前記干渉を測定することによりＫ個の干渉電力推定が生じる。ある実施の形態では、前記Ｋ個の干渉電力推定のそれぞれが、前記Ｋ個のＮＺＰ  ＣＳＩ−ＲＳリソースに関連付けられた電力スケーリングファクタに従ってスケーリングされる。ある実施の形態では、前記第２ＮＺＰ  ＣＳＩ−ＲＳ設定が、前記干渉測定の前記第２ＮＺＰ  ＣＳＩ−ＲＳ設定によって設定されたＫ個のＮＺＰ  ＣＳＩ−ＲＳリソースのそれぞれの電力スケーリングファクタを含む。ある実施の形態では、前記ＣＳＩを推定することが、前記ＣＳＩ−ＩＭ設定に対応する少なくともひとつのＣＳＩ−ＩＭリソース上の干渉を測定することを含む。ある実施の形態では、前記少なくともひとつのＣＳＩ−ＩＭリソース上の前記干渉を測定することにより少なくともひとつの干渉電力推定が生じる。ある実施の形態では、方法は、少なくとも、前記Ｋ個のＮＺＰ  ＣＳＩ−ＲＳリソースに基づく前記Ｋ個の干渉電力推定と、前記少なくともひとつのＣＳＩ−ＩＭリソースに基づく前記少なくともひとつの干渉電力推定と、を足し合わせることによって、合成干渉推定を得ることをさらに含む。ある実施の形態では、前記推定されたＣＳＩが、前記合成干渉推定および測定されたダウンリンクチャネルに基づく。ある実施の形態では、前記測定されたダウンリンクチャネルが、前記第１ＮＺＰ  ＣＳＩ−ＲＳ設定に対応する第１ＮＺＰ  ＣＳＩ−ＲＳリソース上で測定される。ある実施の形態では、方法はさらに、前記ＵＥが、コードブック設定を含むＣＳＩフィードバック要求を受信することをさらに含む。
【００２８】
本開示の別の態様によると、処理回路を含むＵＥが提供される。処理回路は、前記ＵＥに、シグナリングを受信することであって、前記シグナリングが以下を含む：チャネル測定用の第１非ゼロ電力（ＮＺＰ）チャネル状態情報（ＣＳＩ）参照信号（ＲＳ）設定；干渉測定用の第２ＮＺＰ  ＣＳＩ−ＲＳ設定；干渉測定用のＣＳＩ干渉測定（ＣＳＩ−ＩＭ）設定；受信することと、前記シグナリングされた第１ＮＺＰ  ＣＳＩ−ＲＳ設定と前記第２ＮＺＰ  ＣＳＩ−ＲＳ設定と、前記ＣＳＩ−ＩＭ設定と、に少なくとも部分的に基づいて、ＣＳＩを推定することと、を行わせるよう構成される。
【００２９】
本態様によると、ある実施の形態では、前記第２ＮＺＰ  ＣＳＩ−ＲＳ設定が、前記干渉測定用のＫ個（Ｋ≧１）のＮＺＰ  ＣＳＩ−ＲＳリソースを設定するためのものである。ある実施の形態では、前記Ｋ個のＮＺＰ  ＣＳＩ−ＲＳリソースにおいて測定された前記干渉測定がマルチユーザ複数入力複数出力（ＭＵ−ＭＩＭＯ）干渉に対応する。ある実施の形態では、Ｋ＋１が、マルチユーザ複数入力複数出力（ＭＵ−ＭＩＭＯ）通信のユーザ装置候補の数に対応する。ある実施の形態では、前記第２ＮＺＰ  ＣＳＩ−ＲＳ設定がマルチユーザ（ＭＵ）干渉測定のためのものである。ある実施の形態では、前記ＣＳＩ−ＩＭ設定がセル間干渉測定のためのものである。ある実施の形態では、前記受信されたシグナリングがさらに、コードブック設定を含む。ある実施の形態では、前記処理回路は、前記コードブック設定に基づいて前記ＣＳＩを推定するようさらに構成されることによって、前記ＵＥに前記ＣＳＩを推定させるよう構成される。ある実施の形態では、前記処理回路はさらに、前記ＵＥに、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、前記コードブック設定と、に基づいて、ＣＳＩのＣＳＩフィードバック要求を受信させるよう構成される。ある実施の形態では、前記処理回路はさらに、前記ＵＥに、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、に基づいて、ＣＳＩのＣＳＩフィードバック要求を受信させるよう構成される。ある実施の形態では、前記処理回路は、前記第１ＮＺＰ  ＣＳＩ−ＲＳ設定に対応する第１ＮＺＰ  ＣＳＩ−ＲＳリソース上のダウンリンクチャネルを測定するようさらに構成されることによって、前記ＵＥに前記ＣＳＩを推定させるよう構成される。ある実施の形態では、前記処理回路は、前記第２ＮＺＰ  ＣＳＩ−ＲＳ設定に対応するＫ個のＮＺＰ  ＣＳＩ−ＲＳリソースのそれぞれ上の干渉を測定するようさらに構成されることによって、前記ＵＥに、前記ＣＳＩを推定させるよう構成される。ある実施の形態では、前記処理回路は、前記Ｋ個のＮＺＰ  ＣＳＩ−ＲＳリソースのそれぞれ上の前記干渉を測定することによりＫ個の干渉電力推定が生じるよう構成される。ある実施の形態では、前記処理回路は、前記Ｋ個の干渉電力推定のそれぞれを、前記Ｋ個のＮＺＰ  ＣＳＩ−ＲＳリソースに関連付けられた電力スケーリングファクタに従ってスケーリングするよう構成される。ある実施の形態では、前記第２ＮＺＰ  ＣＳＩ−ＲＳ設定が、前記干渉測定の前記第２ＮＺＰ  ＣＳＩ−ＲＳ設定によって設定されたＫ個のＮＺＰ  ＣＳＩ−ＲＳリソースのそれぞれの電力スケーリングファクタを含む。ある実施の形態では、前記処理回路は、前記ＣＳＩ−ＩＭ設定に対応する少なくともひとつのＣＳＩ−ＩＭリソース上の干渉を測定するようさらに構成されることによって、前記ＵＥに、前記ＣＳＩを推定させるよう構成される。ある実施の形態では、前記処理回路は、前記少なくともひとつのＣＳＩ−ＩＭリソース上の前記干渉を測定することにより少なくともひとつの干渉電力推定が生じるよう構成される。ある実施の形態では、前記処理回路��、前記ＵＥに、少なくとも、前記Ｋ個のＮＺＰ  ＣＳＩ−ＲＳリソースに基づく前記Ｋ個の干渉電力推定と、前記少なくともひとつのＣＳＩ−ＩＭリソースに基づく前記少なくともひとつの干渉電力推定と、を足し合わせることによって、合成干渉推定を取得させるよう構成される。ある実施の形態では、前記処理回路は、前記ＵＥに、前記合成干渉推定および測定されたダウンリンクチャネルに基づいて前記ＣＳＩを推定させるよう構成される。ある実施の形態では、前記測定されたダウンリンクチャネルが、前記第１ＮＺＰ  ＣＳＩ−ＲＳ設定に対応する第１ＮＺＰ  ＣＳＩ−ＲＳリソース上で測定される。ある実施の形態では、前記処理回路はさらに、前記ＵＥに、コードブック設定を含むＣＳＩフィードバック要求を受信させるよう構成される。
【００３０】
本開示のさらに別の態様によると、基地局の方法が提供される。方法は、基地局が、ユーザ装置、ＵＥに：チャネル測定用の第１非ゼロ電力（ＮＺＰ）チャネル状態情報（ＣＳＩ）参照信号（ＲＳ）設定；干渉測定用の第２ＮＺＰ  ＣＳＩ−ＲＳ設定；干渉測定用のＣＳＩ干渉測定（ＣＳＩ−ＩＭ）設定；をシグナリングすることと、基地局が、前記シグナリングされた第１ＮＺＰ  ＣＳＩ−ＲＳ設定と前記第２ＮＺＰ  ＣＳＩ−ＲＳ設定と、前記ＣＳＩ−ＩＭ設定と、に少なくとも部分的に基づくＣＳＩレポートを前記ＵＥから受信することと、を含む。
【００３１】
本態様によると、ある実施の形態では、前記第２ＮＺＰ  ＣＳＩ−ＲＳ設定が、前記干渉測定用のＫ個（Ｋ≧１）のＮＺＰ  ＣＳＩ−ＲＳリソースを設定するためのものである。ある実施の形態では、前記Ｋ個のＮＺＰ  ＣＳＩ−ＲＳリソースにおいて測定された前記干渉測定がマルチユーザ複数入力複数出力（ＭＵ−ＭＩＭＯ）干渉に対応する。ある実施の形態では、Ｋ＋１が、マルチユーザ複数入力複数出力（ＭＵ−ＭＩＭＯ）通信のユーザ装置候補の数に対応する。ある実施の形態では、前記第２ＮＺＰ  ＣＳＩ−ＲＳ設定がマルチユーザ（ＭＵ）干渉測定のためのものである。ある実施の形態では、前記ＣＳＩ−ＩＭ設定がセル間干渉測定のためのものである。ある実施の形態では、前記シグナリングすることがさらに、コードブック設定をシグナリングすることを含む。ある実施の形態では、前記受信されたＣＳＩレポートが、前記シグナリングされたコードブック設定に少なくとも部分的に基づく。ある実施の形態では、方法は、前記基地局から、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、前記コードブック設定と、に基づいて、ＣＳＩのＣＳＩフィードバック要求を前記ＵＥに送信することをさらに含む。ある実施の形態では、方法は、前記基地局から、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、に基づいて、ＣＳＩのＣＳＩフィードバック要求を前記ＵＥに送信することをさらに含む。ある実施の形態では、方法は、前記基地局から、前記第１ＮＺＰ  ＣＳＩ−ＲＳ設定および前記第２ＮＺＰ  ＣＳＩ−ＲＳ設定の前記シグナリングによって設定されたＫ＋１個のＮＺＰ  ＣＳＩ−ＲＳリソースを介して、Ｋ＋１個のＮＺＰ  ＣＳＩ参照信号（ＲＳ）を送信することをさらに含む。ある実施の形態では、前記基地局が前記ＵＥにシグナリングすることが、無線リソース制御シグナリングを介して準静的にシグナリングすることを含む。ある実施の形態では、前記基地局から前記ＣＳＩフィードバック要求を前記ＵＥに送信することが、前記ＣＳＩフィードバック要求をダウンリンク制御チャネルを介して動的に送信することを含む。ある実施の形態では、前記第２ＮＺＰ  ＣＳＩ−ＲＳ設定が、前記干渉測定の前記第２ＮＺＰ  ＣＳＩ−ＲＳ設定によって設定されたＫ個のＮＺＰ  ＣＳＩ−ＲＳリソースのそれぞれの電力スケーリングファクタを含む。ある実施の形態では、前記受信されたＣＳＩレポートが合成干渉推定および測定されたダウンリンクチャネルに基づくものであり、前記合成干渉推定が、少なくとも、前記第２ＮＺＰ  ＣＳＩ−ＲＳ設定によって設定されたＫ個のＮＺＰ  ＣＳＩ−ＲＳリソースに基づくＫ個の干渉電力推定と、前記ＣＳＩ−ＩＭ設定によって設定された少なくともひとつのＣＳＩ−ＩＭリソースに基づく少なくともひとつの干渉電力推定と、の和であり、前記測定されたダウンリンクチャネルが、前記第１ＮＺＰ  ＣＳＩ−ＲＳ設定に対応する第１ＮＺＰ  ＣＳＩ−ＲＳリソースに基づく。ある実施の形態では、方法は、前記基地局から、コードブック設定を含むＣＳＩフィードバック要求を送信することをさらに含む。
【００３２】
本開示のさらに別の態様によると、処理回路を含む基地局が提供される。処理回路は、基地局に：ＵＥに：チャネル測定用の第１非ゼロ電力（ＮＺＰ）チャネル状態情報（ＣＳＩ）参照信号（ＲＳ）設定；干渉測定用の第２ＮＺＰ  ＣＳＩ−ＲＳ設定；干渉測定用のＣＳＩ干渉測定（ＣＳＩ−ＩＭ）設定；をシグナリングすることと、前記シグナリングされた第１ＮＺＰ  ＣＳＩ−ＲＳ設定と前記第２ＮＺＰ  ＣＳＩ−ＲＳ設定と、前記ＣＳＩ−ＩＭ設定と、に少なくとも部分的に基づくＣＳＩレポートを前記ＵＥから受信することと、を行わせるよう構成される。
【００３３】
本態様によると、ある実施の形態では、前記第２ＮＺＰ  ＣＳＩ−ＲＳ設定が、前記干渉測定用のＫ個（Ｋ≧１）のＮＺＰ  ＣＳＩ−ＲＳリソースを設定するためのものである。ある実施の形態では、前記Ｋ個のＮＺＰ  ＣＳＩ−ＲＳリソースにおいて測定された前記干渉測定がマルチユーザ複数入力複数出力（ＭＵ−ＭＩＭＯ）干渉に対応する。ある実施の形態では、Ｋ＋１が、マルチユーザ複数入力複数出力（ＭＵ−ＭＩＭＯ）通信のユーザ装置候補の数に対応する。ある実施の形態では、前記第２ＮＺＰ  ＣＳＩ−ＲＳ設定がマルチユーザ（ＭＵ）干渉測定のためのものである。ある実施の形態では、前記ＣＳＩ−ＩＭ設定がセル間干渉測定のためのものである。ある実施の形態では、前記処理回路は、コードブック設定をシグナリングするようさらに構成されることによって、前記ＵＥにシグナリングするよう構成される。ある実施の形態では、前記受信されたＣＳＩレポートが、前記シグナリングされたコードブック設定に少なくとも部分的に基づく。ある実施の形態では、処理回路はさらに、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、前記コードブック設定と、に基づいて、ＣＳＩのＣＳＩフィードバック要求を前記ＵＥに送信するよう構成される。ある実施の形態では、前記処理回路はさらに、前記ＵＥに、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、に基づいて、ＣＳＩのＣＳＩフィードバック要求を送信するよう構成される。ある実施の形態では、前記処理回路はさらに、前記第１ＮＺＰ  ＣＳＩ−ＲＳ設定および前記第２ＮＺＰ  ＣＳＩ−ＲＳ設定の前記シグナリングによって設定されたＫ＋１個のＮＺＰ  ＣＳＩ−ＲＳリソースを介して、Ｋ＋１個のＮＺＰ  ＣＳＩ参照信号、ＲＳ、を送信するよう構成される。ある実施の形態では、前記処理回路は、無線リソース制御シグナリングを介して準静的にシグナリングするようさらに構成されることによって、前記ＵＥにシグナリングするよう構成される。ある実施の形態では、前記処理回路は、ダウンリンク制御チャネルを介して前記ＣＳＩフィードバック要求を動的に送信するようさらに構成されることによって、前記ＵＥに前記ＣＳＩフィードバック要求を送信するよう構成される。ある実施の形態では、前記処理回路は、前記干渉測定用の前記第２ＮＺＰ  ＣＳＩ−ＲＳ設定によって設定されたＫ個のＮＺＰ  ＣＳＩ−ＲＳリソースのそれぞれの電力スケーリングファクタを含む前記第２ＮＺＰ  ＣＳＩ−ＲＳ設定をシグナリングするようさらに構成されることによって、前記ＵＥにシグナリングするよう構成される。ある実施の形態では、前記受信されたＣＳＩレポートが合成干渉推定および測定されたダウンリンクチャネルに基づくものであり、前記合成干渉推定が、少なくとも、前記第２ＮＺＰ  ＣＳＩ−ＲＳ設定によって設定されたＫ個のＮＺＰ  ＣＳＩ−ＲＳリソースに基づくＫ個の干渉電力推定と、前記ＣＳＩ−ＩＭ設定によって設定された少なくともひとつのＣＳＩ−ＩＭリソースに基づく少なくともひとつの干渉電力推定と、の和であり、前記測定されたダウンリンクチャネルが、前記第１ＮＺ��  ＣＳＩ−ＲＳ設定に対応する第１ＮＺＰ  ＣＳＩ−ＲＳリソースに基づく。ある実施の形態では、前記処理回路はさらに、コードブック設定を含むＣＳＩフィードバック要求を送信するよう構成される。
【図面の簡単な説明】
【００３４】
添付の図面と併せて考慮して以下の詳細な説明を参照すると、本実施の形態のより完全な理解およびその付随する利点およびフィーチャをより容易に理解することができるであろう。
【００３５】
【図１】ＬＴＥ物理リソースのブロック図である。
【図２】ＬＴＥ時間ドメイン構造のブロック図である。
【図３】ＬＴＥにおけるプレコードされた空間多重モードの送信構成のブロック図である。
【図４】ＬＴＥにおける各ＰＲＢにおけるＣＳＩ−ＲＳ割り当てのために利用可能なＲＥのブロック図である。
【図５】図５および図６はそれぞれ、ＬＴＥにおける２ポートおよび４ポートＣＳＩ−ＲＳリソースの例のブロック図である。
【図６】図５および図６はそれぞれ、ＬＴＥにおける２ポートおよび４ポートＣＳＩ−ＲＳリソースの例のブロック図である。
【図７】ＮＺＰ  ＣＳＩ−ＲＳリソースおよびＺＰ  ＣＳＩ−ＲＳリソースのブロック図である。
【図８】ＮＺＰ  ＣＳＩ−ＲＳリソース、ＺＰ  ＣＳＩ−ＲＳリソースおよびＣＳＩ−ＩＭリソースのブロック図である。
【図９】本開示の原理にしたがう、干渉測定およびマルチユーザ（ＭＵ）複数入力複数出力（ＭＩＭＯ）のＣＳＩフィードバック構成の例示的なシステムのブロック図である。
【図１０】本開示の原理による、設定コードの例示的な設定プロセスのフロー図である。
【図１１】ＭＵ−ＭＩＭＯ候補であり、それぞれが３つのＮＺＰ  ＣＳＩ−ＲＳリソースと１つの共通ＣＳＩ−ＩＭリソースで構成されている３つの無線デバイスのブロック図である。
【図１２】本開示の原理による、推定コードの例示的な推定プロセスのフロー図である。
【図１３】本開示の原理による、設定コードの別の実施の形態に係る設定プロセスのフロー図である。
【図１４】本開示の原理による、推定コードの別の実施の形態に係る推定プロセスのフロー図である。
【図１５】本開示の原理による、第２方法のブロック図である。
【図１６】本開示の原理による、ネットワークノードの代替的な実施の形態である。
【図１７】本開示の原理による、無線デバイスの代替的な実施の形態である。
【発明を実施するための形態】
【００３６】
３ＧＰＰ  ＬＴＥおよびＮＲ（ニューラジオ）からの用語が本開示の実施の形態を例示するために本開示において使用されているが、このことは、本開示の範囲を前述のシステムのみに限定するとして理解されるべきではないことは留意されたい。他の無線システムもまた、本開示内でカバーされるアイデアを活用することから利益を得ることができる。
【００３７】
ノード、ｅＮｏｄｅＢ／ｅＮＢ／ｇＮＢおよび無線デバイス／ＵＥのような用語は非限定的であると考えられるべきであり、特に、２つの間のある階層的関係を暗示するものではなく、一般に、「ｅＮｏｄｅＢ」／「ノード」は第１装置と考えられ、「ＵＥ」／「無線デバイス」は第２装置と考えられ、これらの２つの装置は何らかの無線チャネルを介して互いに通信することを注意しておく。本明細書において、ダウンリンクにおける無線伝送に着目するが、本開示はアップリンクにおいて同等に適用可能である。
【００３８】
本明細書に記載される方法およびプロセスは、ＭＵ−ＭＩＭＯのための干渉測定およびＣＳＩフィードバックのために効率的である。１つ以上の実施の形態において、本明細書に記載される方法／プロセスは、ＭＵ−ＭＩＭＯにおけるＫ＋１個の無線デバイスのＫ＋１個のＮＺＰ  ＣＳＩ−ＲＳリソースおよび１つの共通ＺＰ  ＣＳＰ−ＲＳリソースを使用する。従って、ここに記載される方法およびプロセスは、無線デバイスが増えるごとに、その無線デバイスがＭＵ−ＭＩＭＯに参加するためにＮＺＰ  ＣＳＩ−ＲＳリソースをひとつだけ増やせばよいという意味で、スケーラブルでありうる。ひとつの共通ＺＰ  ＣＳＩ−ＲＳリソースは、依然として、これらの増加した無線デバイスのそれぞれのために使用され得る。
【００３９】
１つまたは複数の実施の形態では、第１方法／プロセスについて、追加のＮＺＰ  ＣＳＩ−ＲＳリソース上の干渉推定を除いて、プロセスは、ＳＵ−ＭＩＭＯ  ＣＳＩフィードバックと同様であってもよく、この場合、無線デバイスにおいて最小の変更が必要とされ得る。
【００４０】
１つ以上の実施の形態では、第２方法／プロセスでは、模倣されたＭＵ−ＭＩＭＯ干渉のネットワークノード伝送による干渉推定に、プレコーディングも考慮に入れ、したがって、第１方法と比較するとき、干渉推定はより正確であるかもしれない。
【００４１】
例示的な実施の形態を詳細に説明する前に、方法、ネットワークノードおよび無線デバイスに関する部品および処理ステップの組み合わせに、実施の形態の主なものが存することを注意しておく。したがって、本明細書の記載に触れた当業者には自明な詳細で開示を不明瞭にしないよう、実施の形態の理解に関係する具体的な詳細のみを示しつつ、適宜、図面における通常のシンボルで部材を表した。
【００４２】
本明細書で用いられる場合、「第１」および「第２」や「上」および「底」などの相対的な用語は、エンティティや要素の間のいかなる物理的関係、物理的順序、論理的関係、論理的順序を要求したり暗示したりすることなく、あるエンティティまたは要素を他のエンティティまたは要素から区別するためだけに用いられてもよい。本明細書で使用される用語は特定の実施の形態を説明することのみを目的としており、本明細書で説明されるコンセプトを限定することを意図していない。本明細書で使用されるように、単数形「ａ」、「ａｎ」及び「ｔｈｅ」は、文脈がそうでないことを明確に示さない限り、複数形も含むことが意図される。さらに、用語「備える」、「備えている」、「含む」、および／または「含んでいる」は、本明細書で使用される場合、述べられた特徴、整数、ステップ、動作、要素、および／または構成要素などの存在を指定するが、１つまたは複数の他の特徴、整数、ステップ、動作、要素、構成要素、および／またはそれらのグループの存在または追加を排除しないことが理解されるのであろう。
【００４３】
そうでないと定義されない限り、本明細書で用いられる全ての用語（技術用語および専門用語を含む）は、本開示が属する技術分野の当業者によって普通に理解されるような意味と同じ意味を有する。本明細書で用いられる用語は本明細書および関連技術のコンテキストにおける意味と整合する意味を有するものとして解釈されるべきであり、本明細書で明示的にそうであると定義されない限り、理想的なまたは過度に形式的な意味で解釈されるはずもないこともまた理解されるべきである。
【００４４】
本明細書で説明される実施の形態では、「と通信する」という結合用語は、例えば、物理的接触、誘導、電磁放射、無線シグナリング、赤外線シグナリング、または光シグナリングによって達成され得る、電気通信またはデータ通信を示すために使用され得る。当業者は、複数の構成要素に互換性があり、電気通信およびデータ通信を達成するための修正および変形が可能であることを理解するであろう。
【００４５】
図面では、同様の参照指示子は同様の要素を指し示す。図面を参照すると、本開示の原理にしたがう、干渉測定およびマルチユーザ（ＭＵ）複数入力複数出力（ＭＩＭＯ）のＣＳＩフィードバック構成の例示的なシステムのブロック図が図９に示されている。システム１０は、本明細書で説明されるような１つまたは複数の通信プロトコルを使用して、１つまたは複数の通信ネットワーク、経路、および／またはリンクを介して互いに通信する、１つまたは複数のネットワークノード１２および１つまたは複数の無線デバイス１４を含む。
【００４６】
ネットワークノード１２は、無線デバイス１４、他のノード１２および／またはシステム１０内の他のエンティティと通信するための送信器回路１６および受信器回路１８を含む。１つまたは複数の実施の形態では、トランシーバ回路１６および／または受信器回路１８は、１つまたは複数の通信インターフェースを含む、および／または、１つまたは複数の通信インターフェースによって置き換えられる。ネットワークノード１２は処理回路２０を含む。本明細書で使用される「ネットワークノード１２」などの「ネットワークノード」という用語は、無線ネットワークに含まれる任意の種類のネットワークノードであってもよく、そのような無線ネットワークはさらに、基地局（ＢＳ）、無線基地局、トランシーバ基地局（ＢＴＳ）、基地局コントローラ（ＢＳＣ）、無線ネットワークコントローラ（ＲＮＣ）、進化型ノードＢ（ｅＮＢまたはｅノードＢ）、ノードＢ、ｇノードＢ（ｇＮＢ）、ＭＳＲ  ＢＳなどのマルチスタンダード無線（ＭＳＲ）無線ノード、リレーノード、ドナーノード制御リレー、無線アクセスポイント（ＡＰ）、伝送ポイント、伝送ノード、遠隔無線ユニット（ＲＲＵ）遠隔無線ヘッド（ＲＲＨ）、分散アンテナシステム（ＤＡＳ）内のノード、などを含んでもよい。「ネットワークノード」および「基地局」という用語は、本明細書では互換的に使用され得る。
【００４７】
処理回路２０は、メモリ２４およびプロセッサ２２を含む。従来のプロセッサおよびメモリに加えて、処理回路２０は、処理および／または制御のための集積回路、例えば、１つまたは複数のプロセッサおよび／またはプロセッサコアおよび／またはＦＰＧＡ（フィールドプログラマブルゲートアレイ）および／またはＡＳＩＣ（特定用途向け集積回路）、を備えてもよい。プロセッサ２２は、任意の種類の揮発性および／または不揮発性メモリ、例えば、キャッシュおよび／またはバッファメモリおよび／またはＲＡＭ（ランダムアクセスメモリ）および／またはＲＯＭ（読取専用メモリ）および／または光学メモリおよび／またはＥＰＲＯＭ（消去可能プログラマブル読取専用メモリ）を含んでもよいメモリ２４にアクセスする（例えば、そこに書き込むおよび／またはそこから読み出す）ように構成されてもよい。そのようなメモリ２４は、プロセッサ２２によって実行可能なコードおよび／または他のデータ、例えば、通信に関するデータ、例えば、ノードの構成および／または宛先データなど、を保持するように構成されてもよい。
【００４８】
処理回路２０は、本明細書で説明される方法および／またはプロセスのいずれかを制御するように、および／または、そのような方法、シグナリングおよび／またはプロセスを、例えば、ネットワークノード１２によって実行させるように構成されてもよい。プロセッサ２２は、本明細書で説明されるネットワークノード１２の機能およびプロセスを実行するための１つまたは複数のプロセッサ２２に対応する。ネットワークノード１２は、データ、プログラムソフトウエアコード、および／または本明細書で説明される他の情報を保持するように構成されるメモリ２４を含む。１つまたは複数の実施の形態では、メモリ２４は、設定コード２６を保持するように構成される。例えば、設定コード２６は、プロセッサ２２によって実行されると、プロセッサ２２に、図１０および／または図１３に関して説明された機能などの本明細書で説明される機能を実行させるインストラクションを含む。
【００４９】
無線デバイス１４は、ネットワークノード１２、他の無線デバイス１４、および／またはシステム１０内の他のエンティティと通信するための送信器回路２８および受信器回路３０を含む。１つまたは複数の実施の形態では、送信器回路２８および／または受信器回路３０は、１つまたは複数の通信インターフェースを含む、および／または、１つまたは複数の通信インターフェースによって置き換えられる。無線デバイス１４は処理回路３２を含む。
【００５０】
処理回路３２は、メモリ３６およびプロセッサ３４を含む。従来のプロセッサおよびメモリに加えて、処理回路３２は、処理および／または制御のための集積回路、例えば、１つまたは複数のプロセッサおよび／またはプロセッサコアおよび／またはＦＰＧＡ（フィールドプログラマブルゲートアレイ）および／またはＡＳＩＣ（特定用途向け集積回路）、を備えてもよい。プロセッサ３４は、任意の種類の揮発性および／または不揮発性メモリ、例えば、キャッシュおよび／またはバッファメモリおよび／またはＲＡＭ（ランダムアクセスメモリ）および／またはＲＯＭ（読取専用メモリ）および／または光学メモリおよび／またはＥＰＲＯＭ（消去可能プログラマブル読取専用メモリ）を含んでもよいメモリ３６にアクセスする（例えば、そこに書き込むおよび／またはそこから読み出す）ように構成されてもよい。そのようなメモリ３６は、プロセッサ３４によって実行可能なコードおよび／または他のデータ、例えば、通信に関するデータ、例えば、ノードの構成および／または宛先データなど、を保持するように構成されてもよい。
【００５１】
処理回路３２は、本明細書で説明される方法および／またはプロセスのいずれかを制御するように、および／または、そのような方法、シグナリングおよび／またはプロセスを、例えば、無線デバイス１４によって実行させるように構成されてもよい。プロセッサ３４は、本明細書で説明される無線デバイス１４の機能およびプロセスを実行するための１つまたは複数のプロセッサ３４に対応する。無線デバイス１４は、データ、プログラムソフトウエアコード、および／または本明細書で説明される他の情報を保持するように構成されるメモリ３６を含む。１つまたは複数の実施の形態では、メモリ３６は、推定コード３８を保持するように構成される。例えば、推定コード３８は、プロセッサ３４によって実行されると、プロセッサ３４に、図１２および／または図１５に関して説明された機能などの本明細書で説明される機能を実行させるインストラクションを含む。
【００５２】
用語「無線デバイス」および「ＵＥ」は、本明細書では互換的に使用され得る。無線デバイス１４は、無線通信デバイス、無線デバイスエンドポイント、モバイルエンドポイント、デバイスエンドポイント、センサデバイス、ターゲットデバイス、デバイス対デバイス無線デバイス、ユーザ装置（ＵＥ）、マシンタイプ無線デバイスまたはマシン対マシン通信可能な無線デバイス、無線デバイスに備えられたセンサ、タブレット、モバイル端末、携帯電話、ラップトップ、コンピュータ、機器、車両、スマートフォン、ラップトップ組み込み装置（ＬＥＥ）、ラップトップ設置装置（ＬＭＥ）、ＵＳＢドングル、カスタマプレミス装置（ＣＰＥ）、周知の無線信号やラジオ信号を伝達可能な他のデバイスであってもよい。
【００５３】
本明細書ではネットワークノード１２および／または無線デバイス１４によって実行される特定の機能を参照して実施の形態を説明するが、これらの機能は他のネットワークノードおよび要素において実行することができることを理解されたい。また、ネットワークノード１２および／または無線デバイス１４の機能はインターネットまたはアクセスネットワークバックホールネットワークなどのネットワーククラウドにわたって分散させることができ、その結果、他のノードは、本明細書で説明する１つまたは複数の機能、または機能の一部さえも実行することができることも理解されたい。
【００５４】
１つまたは複数の実施の形態では、本開示の第１の例示的な態様にしたがって、ネットワークノード１２における設定プロセスおよび各ＷＤ１４における推定プロセスが以下で説明される。
【００５５】
ネットワークノード１２において
ステップ１：ＳＵ−ＭＩＭＯ  ＣＳＩを取得する；
ステップ２：ＭＵ−ＭＩＭＯ候補としてＫ＋１個のＷＤ１４を決定し、各候補にＫ＋１個のＮＺＰ  ＣＳＩ−ＲＳリソースと１つのＣＳＩ−ＩＭリソースを設定する；
ステップ３：どのＮＺＰ  ＣＳＩ−ＲＳがチャネル測定用であるかを示す；
ステップ４：コードブックを伴って新しいＣＳＩフィードバックを要求する；
ステップ５：各ＷＤ１４からＭＵ−ＭＩＭＯ  ＣＳＩを受信する；
ステップ６：新しいＣＳＩを使用して、Ｋ＋１個のＷＤ１４にＭＵ−ＭＩＭＯ伝送を実行する。
【００５６】
ＷＤ１４において
ステップ１：Ｋ＋１個のＮＺＰ  ＣＳＩ−ＲＳリソースおよび１個のＣＳＩ−ＩＭを伴う設定を受信し、Ｋ＋１個のＮＺＰ  ＣＳＩ−ＲＳのうちの、チャネル測定用のひとつの指示を受信する；
ステップ２：ネットワークノード１２からＣＳＩ要求を受信する；
ステップ３：指示されたように、ＮＺＰ  ＣＳＩ−ＲＳリソース上のチャネルを測定する；
ステップ４：ＣＳＩ−ＩＭでのセル間干渉を測定する
ステップ５：残りのＫ個のＮＺＰ  ＣＳＩ−ＲＳリソース上でＫ個のＭＵ干渉を測定し、Ｋ個の測定された干渉のそれぞれから測定されたセル間干渉を減算し、Ｋ個のＭＵ干渉を生じる；
ステップ６：Ｋ個のＭＵ干渉および測定されたセル間干渉を足し合わせることで、総推定干渉が得られる；
ステップ７：設定されたコードブックに従って、測定されたチャネルと総推定干渉とに基づいてＣＳＩを算出する；
ステップ８：ＣＳＩ（ＭＵ−ＭＩＭＯ  ＣＳＩ）をネットワークノード１２にフィードバックする。
【００５７】
図１０は、本開示の原理に従う、特に本開示の第１の例示的な態様に従う、ネットワークノード１２の設定コード２６の例示的な設定プロセスのフロー図である。ネットワークノード／基地局１２の処理回路２０は、無線デバイス／ＵＥ１４に：チャネル測定用の第１非ゼロ電力（ＮＺＰ）ＣＳＩ参照信号（ＲＳ）設定と、干渉測定用の第２ＮＺＰ  ＣＳＩ−ＲＳ設定と、干渉測定用のＣＳＩ干渉測定（ＣＳＩ−ＩＭ）設定と、をシグナリングするように構成される（ブロックＳ１００）。いくつかの実施の形態では、第２ＮＺＰ  ＣＳＩ−ＲＳ設定がＫ個のＮＺＰ−ＣＳＩリソース上のマルチユーザ（ＭＵ）干渉測定のためのものであり、ここで、Ｋ≧１である。ある実施の形態では、シグナリングがコードブック設定を含む。ある実施の形態では、ＣＳＩ−ＩＭ設定がセル間干渉測定のためのものである。さらに、各ＮＺＰ  ＣＳＩ−ＲＳについてのＰＤＳＣＨとＮＺＰ  ＣＳＩ−ＲＳとの間のＲＥ当たりのエネルギ比（ＥＰＲＥ）βもまた、第１および第２ＮＺＰ  ＣＳＩ−ＲＳ設定においてシグナリングされ得る。
【００５８】
処理回路２０は、任意選択で、ＮＺＰ  ＣＳＩ−ＲＳリソースの第１および第２設定ＮＺＰ  ＣＳＩ−ＲＳ設定およびＣＳＩ−ＩＭ設定に基づいて、ＣＳＩ測定およびフィードバックを求めるＣＳＩフィードバック要求を無線デバイス１４に送信するように構成される（ブロックＳ１０２）。処理回路２０は、任意選択で、設定されたＫ＋１個のＮＺＰ  ＣＳＩ−ＲＳリソースを介してＫ＋１個のＮＺＰ  ＣＳＩ−ＲＳを送信するように構成される（ブロックＳ１０４）。処理回路２０は、ＵＥ／無線デバイス１４からＣＳＩレポートを受信するように構成される（ブロックＳ１０６）。ある実施の形態では、ＣＳＩレポートは、シグナリングされた第１ＮＺＰ  ＣＳＩ−ＲＳ設定と第２ＮＺＰ  ＣＳＩ−ＲＳ設定と、ＣＳＩ−ＩＭ設定と、に少なくとも部分的に基づく。いくつかの実施の形態では、ＣＳＩレポートがコードブック設定にさらに基づく。処理回路２０は、任意選択で、報告されたＣＳＩを伴うデータを無線デバイス１４に送信するように構成される（ブロックＳ１０８）。言い換えると、設定プロセスの１つまたは複数の実施の形態、すなわち方法１では、ネットワークノード１（たとえばネットワークノード１２）がまず、ＬＴＥまたはＮＲで通常行われるように、サービング無線デバイス１４からＳＵ−ＭＩＭＯ  ＣＳＩ（すなわちＣＲＩ、ＲＩ、ＰＭＩ、ＣＱＩ）を取得する。次に、ネットワークノード１２は、ＳＵ−ＭＩＭＯ  ＣＳＩに基づいて、ＭＵ−ＭＩＭＯの無線デバイス１４候補を決定する。Ｋ＋１個の無線デバイス１４がＭＵ−ＭＩＭＯ候補として選択された、すなわち、それらが、同じ時間周波数リソースを持つサブフレームで一緒にスケジューリングされる可能性があると仮定する。ＭＵ干渉を考慮することによってＭＵ−ＭＩＭＯ  ＣＱＩを取得するために、ネットワークノード１２は、Ｋ＋１個のＮＺＰ  ＣＳＩ−ＲＳリソースと、同じサブフレームまたはスロット内のＣＳＩ−ＩＭとしてのひとつの共通ＺＰ  ＣＳＩ−ＲＳと、でＫ＋１個の無線デバイス１４候補のそれぞれを設定し、各無線デバイス１４にＣＳＩレポートを要求する。
【００５９】
各無線デバイス１４について、ネットワークノード１２はまた、Ｋ＋１個のＮＺＰ  ＣＳＩ−ＲＳリソースのうちのひとつをチャネル測定用として、残りのＫ個のＮＺＰ  ＣＳＩ−ＲＳリソースを干渉測定用として、示してもよい。各無線デバイス１４はまた、ＣＳＩフィードバック用のコードブックで設定される。
【００６０】
設定およびＣＳＩフィードバック要求を受信した後、各無線デバイス１４はＺＰ−ＣＳＩ−ＲＳリソース上で、ダウンリンクチャネルＨを推定し、セル間干渉Ｉｉｎｔｅｒ−ｃｅｌｌを測定する。加えて、各無線デバイスはまた、等方的干渉を仮定することによって、すなわち、ＣＳＩ−ＲＳリソースの全てのポートに亘って電力を平均化することによって、干渉測定用に設定されたＫ個のＮＺＰ  ＣＳＩ−ＲＳリソースのそれぞれ上のＭＵ−ＭＩＭＯ干渉、Ｉｍ（ｍ＝１、．．．、Ｋ）を測定する。測定は全帯域幅（すなわち、広帯域）にわたって、および／または各サブバンドにおいて（すなわち、複数のＰＲＢにわたって）行うことができる。例えば、ＣＳＩ−ＩＭがＰＲＢ当たり４つのＲＥからなると仮定すると、ｉ番目のＰＲＢにおけるｋ番目の無線デバイス１４のＩｉｎｔｅｒ−ｃｅｌｌおよびＩｍは、以下のように得られる
【数７】
2020520151.tif 000009
ここで、ｙＺＰｋ（ｎｌ，ｉ）はｉ番目のＰＲＢ内でＣＳＩ−ＩＭのｌ番目のＲＥにおいて受信された信号であり、ｙＮＺＰ，ｍｋ（ｎｊ，ｉ）は、ｉ番目のＰＲＢ内でｍ番目のＮＺＰ  ＣＳＩ−ＲＳのｊ番目のＲＥにおいて受信された信号であり、両信号はｋ番目のＵＥＷＤ１４におけるものである。Ｎｍはｍ番目のＮＺＰ  ＣＳＩ−ＲＳリソースのＣＳＩ−ＲＳポートの数である。ＬＴＥではＣＳＩ−ＩＭとに４つのＲＥが使用されているが、ＮＲではＲＥの数が異なる。
【００６１】
各無線デバイス１４は、総干渉（すなわち、セル間干渉＋ＭＵ干渉）を
【数８】
2020520151.tif 000010
として推定し、設定されたコードブックに従って、ＩおよびＨに基づいて、ＣＳＩを算出し、報告する。すなわち、無線デバイス１４は干渉測定用に設定されたＫ個のＮＺＰ  ＣＳＩ−ＲＳリソースのそれぞれ上の干渉Ｉｍを推定し、各干渉推定値Ｉｍからバイアスであるセル間干渉Ｉｉｎｔｅｒ−ｃｅｌｌ項を除去し、次いで、Ｉｉｎｔｅｒ−ｃｅｌｌバイアスを除去した後にＫ個のＮＺＰ  ＣＳＩ−ＲＳリソースに対応する干渉を合計して、総ＭＵ干渉（すなわち、
【数９】
2020520151.tif 000011
である）を算出する。
【００６２】
既存のＳＵ−ＭＩＭＯ  ＣＳＩ推定との差は、ＭＵ干渉もＮＺＰ  ＣＳＩ−ＲＳ設定を介して推定されることであり得る。図１１に一例が示されており、そこでは、３つの無線デバイス１４ａ−１４ｃは、ＭＵ−ＭＩＭＯ候補であり、それぞれが３つのＮＺＰ  ＣＳＩ−ＲＳリソースと１つの共通ＣＳＩ−ＩＭリソースで構成されている。無線デバイス１４ａについて、ネットワークノード１２は、チャネル測定用のＮＺＰ  ＣＳＩ−ＲＳ１を示す。無線デバイス１４ｂについて、ＮＺＰ  ＣＳＩ−ＲＳ２はチャネル測定用のものとして示され、同様に、無線デバイス１４ｃについて、ＮＺＰ  ＣＳＩ−ＲＳ３は、チャネル測定用のものである。
【００６３】
図１０はステップＳ１００〜Ｓ１０８を含む例示的なプロセスを示しているが、いくつかの実施の形態は図１０に示されるステップよりも多いかまたは少ないステップ（例えば、ステップＳ１００およびＳ１０６のみ）を含んでもよいことを理解されたい。
【００６４】
代替的な実施の形態では、すべてのＫ個のＮＺＰ  ＣＳＩ−ＲＳリソースからの測定されたＭＵ干渉を含める代わりに、ネットワークノード１２は無線デバイス１４がＣＳＩを測定し報告するために使用すべき干渉仮説を無線デバイス１４にシグナリングすることができる。一例では、ネットワークノード１２は、セル間干渉のみを考慮することによってひとつのＳＵ−ＭＩＭＯ  ＣＳＩ（ＣＳＩ０）を報告するよう無線デバイス１４に求めてもよく、また、それぞれがＫ個のＮＺＰ  ＣＳＩ−ＲＳリソースのうちのひとつ上で測定された複数のＭＵ干渉推定のうちで最小の測定されたＭＵ干渉のみを考慮することによってひとつのＭＵ−ＭＩＭＯ  ＣＳＩ（ＣＳＩ１）を報告するよう無線デバイス１４に求めてもよく、また、それに関連するＮＺＰ  ＣＳＩ−ＲＳリソースインデクス（ＣＲＩ１）を報告するよう無線デバイス１４に求めてもよい。この場合、無線デバイス１４は、ＳＵ−ＭＩＭＯ  ＣＳＩ０、ＭＵ−ＭＩＭＯ  ＣＳＩ１、およびＣＲＩ１を報告する。これは、ネットワークノード１２がＫ個の無線デバイス１４のうちのどの無線デバイス１４がペア対象の無線デバイス１４として最良の候補であり得るかを決定することを支援し得る。
【００６５】
別の例では、ネットワークノード１２は、無線デバイス１４が別の２つの無線デバイス１４とペアになっていると仮定して、無線デバイス１４に、追加のＭＵ−ＭＩＭＯ  ＣＳＩ、ＣＳＩ２も報告するように求めることができる。この場合、複数のＭＵ干渉推定値のうちの任意の２つのＮＺＰ  ＣＳＩ−ＲＳリソース上の最小合計ＭＵ干渉が考慮され、関連する２つのＮＺＰ  ＣＳＩ−ＲＳリソースインデクスＣＲＩ２１およびＣＲＩ２２も報告される。したがって、ＵＥは、ＳＵ−ＭＩＭＯ  ＣＳＩ０、ＭＵ−ＭＩＭＯ｛ＣＳＩ１、ＣＲ１｝、｛ＣＳＩ２、ＣＲＩ１、ＣＲＩ２２｝を報告する。これは、ネットワークノード１２がＫ個の無線デバイス１４のうちのどの無線デバイス１４、または２つの無線デバイス１４がペア対象の無線デバイス１４として最良の候補であり得るかを決定することを支援し得る。
【００６６】
同様に、この概念は、３つ以上の無線デバイス１４についての干渉仮説に拡張することができる。
【００６７】
図１２は、本開示の原理にしたがう、特に、本開示の第１の例示的な態様にしたがう、無線デバイス１４の推定コード３８の例示的な推定プロセスのフロー図である。処理回路３２は、シグナリングを受信するように構成され、シグナリングは：チャネル測定用の第１非ゼロ電力（ＮＺＰ）ＣＳＩ参照信号（ＲＳ）設定と、干渉測定用の第２ＮＺＰ  ＣＳＩ−ＲＳ設定と、干渉測定用のＣＳＩ干渉測定（ＣＳＩ−ＩＭ）設定とを含む（ブロックＳ１１０）。ある実施の形態では、シグナリングがさらにコードブック設定を含む。ある実施の形態では、前記第２ＮＺＰ  ＣＳＩ−ＲＳ設定がマルチユーザ（ＭＵ）干渉測定のためのものである。ある実施の形態では、ＣＳＩ−ＩＭ設定がセル間干渉測定のためのものである。処理回路３２は、任意選択で、ＮＺＰ  ＣＳＩ−ＲＳリソースの設定された第１および第２設定と、ＣＳＩ−ＩＭリソースのＣＳＩ−ＩＭ設定とに基づいて、ＣＳＩを求めるＣＳＩフィードバック要求を受信するように構成される（ブロックＳ１１２）。いくつかの実施の形態では、ＣＳＩを求めるＣＳＩフィードバック要求がコードブック設定にさらに基づく。処理回路３２は、シグナリングされた第１ＮＺＰ  ＣＳＩ−ＲＳ設定と第２ＮＺＰ  ＣＳＩ−ＲＳ設定と、ＣＳＩ−ＩＭ設定と、に少なくとも部分的に基づいて、ＣＳＩを推定するよう構成される（ブロックＳ１１４）。第１および第２ＮＺＰ  ＣＳＩ−ＲＳ設定は、Ｋ＋１個のＮＺＰ  ＣＳＩ−ＲＳリソースでありうるＮＺＰ  ＣＳＩ−ＲＳリソースのためのものでありうる。いくつかの実施の形態では、処理回路３２はコードブック設定に基づいてＣＳＩを推定するようにさらに構成される。
【００６８】
図１１はステップＳ１１０〜Ｓ１１４を含む例示的なプロセスを示しているが、いくつかの実施の形態は図１１に示されるステップよりも多いかまたは少ないステップ（例えば、ステップＳ１１０およびＳ１１４のみ）を含んでもよいことを理解されたい。
【００６９】
１つまたは複数の他の実施の形態では、本開示の第２の例示的な態様に従って、ネットワークノード１２における設定プロセスおよび各ＷＤ１４における推定プロセスが以下で説明される。
【００７０】
ネットワークノード１２において：
ステップ１：すべてのＷＤ１４についてＳＵ−ＭＩＭＯ  ＣＳＩを取得する；
ステップ２：ＭＵ−ＭＩＭＯ候補としてＫ＋１個のＷＤ１４を決定する；
ステップ３：各候補に、チャネル測定用のひとつのＮＺＰ  ＣＳＩ−ＲＳリソースと、電力比パラメータβを含む干渉測定用のひとつのＣＳＩ−ＩＭリソースと、を設定する；
ステップ４：コードブックを伴う新しいＣＳＩフィードバックを要求し、ＣＳＩ−ＩＭリソース上でＭＵ−ＭＩＭＯ信号を送信する；
ステップ５：各ＷＤ１４からＭＵ−ＭＩＭＯ  ＣＳＩを受信する；
ステップ６：新しいＣＳＩを使用して、Ｋ＋１個のＷＤ１４にＭＵ−ＭＩＭＯ伝送を実行する。
【００７１】
ＷＤ１４において：
ステップ１：電力比パラメータβを含む、ひとつのＮＺＰ  ＣＳＩ−ＲＳリソースおよびひとつのＣＳＩ−ＩＭリソースを伴う設定を受信する；
ステップ２：ＣＳＩ要求および、ＣＳＩフィードバックに使用されるコードブックを受信する；
ステップ３：ＮＺＰ  ＣＳＩ−ＲＳリソース上のチャネルを測定し、プレコーディング行列を推定し、推定されたプレコーディング行列および測定されたチャネルを用いて信号電力を推定する；
ステップ４：ＣＳＩ−ＩＭリソース上の干渉を測定し、測定した干渉から推定信号電力を減じ、結果として総推定干渉が生じる；
ステップ５：設定されたコードブックに従って、測定されたチャネルと総推定干渉とに基づいてＣＳＩを算出する；
ステップ６：ＣＳＩ（ＭＵ−ＭＩＭＯ  ＣＳＩ）をネットワークノード１２にフィードバックする。
【００７２】
図１３は、本開示の原理に従う、特に本開示の第２の例示的な態様に従う、ネットワークノード１２の設定コード２６の設定プロセスの別の実施の形態、すなわち方法２のフロー図である。ネットワークノード１２の処理回路２０は：チャネル測定用のＮＺＰ  ＣＳＩ  ＲＳリソース設定と、干渉測定用のＣＳＩ−ＩＭリソース設定と、コードブック設定と、電力比βと、を無線デバイス１４にシグナリングするように構成される（ブロックＳ１１６）。処理回路２０は、設定されたＮＺＰ  ＣＳＩ−ＲＳリソースと、ＣＳＩ−ＩＭリソースと、コードブックと、電力比βと、に基づいてＣＳＩ測定およびフィードバックのためのＣＳＩフィードバック要求を無線デバイス１４にサブフレームまたはスロット内で送信するよう構成される（ブロックＳ１１８）。処理回路２０は、設定されたＮＺＰ  ＣＳＩ−ＲＳリソースを介してＮＺＰ  ＣＳＩ−ＲＳ信号を、ＣＳＩ−ＩＭリソース上でＭＵ信号を、送信するよう構成される（ブロックＳ１２０）。処理回路２０は、無線デバイス１４からＣＳＩレポートを受信するように構成される（ブロックＳ１２２）。ある実施の形態では、ＣＳＩレポートは、ＮＺＰ  ＣＳＩ−ＲＳリソース設定と、ＣＳＩ−ＩＭリソース設定、コードブック設定と、電力比βと、に少なくとも部分的に基づく。処理回路２０は、報告されたＣＳＩを伴うデータを無線デバイス１４に送信するように構成される（ブロックＳ１２４）。
【００７３】
図１４は、本開示の原理による、無線デバイス１４の推定コード３８の別の実施の形態に係る推定プロセスのフロー図である。ＷＤ１４の処理回路３２は：チャネル測定用のＮＺＰ  ＣＳＩ  ＲＳリソース設定と、干渉測定用のＣＳＩ−ＩＭリソース設定と、コードブック設定と、電力比βと、を受信するように構成される（ブロックＳ１２６）。処理回路３２は、設定されたＮＺＰ  ＣＳＩ−ＲＳリソースと、ＣＳＩ−ＩＭリソースと、コードブックと、電力比βと、に基づいてＣＳＩ測定およびフィードバックのためのＣＳＩフィードバック要求をサブフレームまたはスロット内で受信するよう構成される（ブロックＳ１２８）。処理回路３２は、設定されたＮＺＰ  ＣＳＩ−ＲＳリソースを介してＮＺＰ  ＣＳＩ−ＲＳ信号を、ＣＳＩ−ＩＭリソース上でＭＵ信号を、受信するよう構成される（ブロックＳ１３０）。処理回路３２は、コードブックおよび電力比βに従って、ＮＺＰ  ＣＳＩ−ＲＳリソース上で受信された信号とＣＳＩ−ＩＭリソース上の干渉とに基づいてＣＳＩを推定するよう構成される（ブロックＳ１３２）。処理回路３２は、ＣＳＩレポートを送信するように構成される（ブロックＳ１３４）。ＣＳＩレポートは、推定されたＣＳＩに基づくことができる。
【００７４】
ネットワークノード１２での設定プロセスおよび各無線デバイス１４での推定プロセスのさらなる実施の形態を以下で説明する。
【００７５】
設定プロセスのひとつ以上の実施の形態、すなわち方法２では、方法１と同様に、ネットワークノード１２がまず、ＬＴＥまたはＮＲで通常行われるように、サービング無線デバイス１４からＳＵ−ＭＩＭＯ  ＣＳＩ（すなわちＣＲＩ、ＲＩ、ＰＭＩ、ＣＱＩ）を取得するものとされる。次に、ネットワークノード１２は、ＳＵ−ＭＩＭＯ  ＣＳＩに基づいて、Ｋ＋１個（Ｋ＞０）のＭＵ−ＭＩＭＯの無線デバイス１４候補を決定する。この方法では、ＭＵ干渉を考慮してＭＵ−ＭＩＭＯ  ＣＱＩを得るために、ネットワークノード１２は、チャネル測定用の１つのＮＺＰ  ＣＳＩ−ＲＳリソースと、ＣＳＩ−ＩＭとしての１つのＺＰ  ＣＳＩ−ＲＳとでＫ＋１個の無線デバイス１４候補のそれぞれを構成する。ＣＳＩ−ＩＭリソースは同じサブフレームまたはスロット内でＫ＋１個の無線デバイス１４に共通であり、各無線デバイス１４にＣＳＩレポートを要求する。
【００７６】
ネットワークノード１２は、設定されたＺＰ  ＣＳＩ−ＲＳリソース内のＫ＋１個の全ての無線デバイス１４を含むＭＵ−ＭＩＭＯ信号を送信する。すなわち、以下の信号を送信する。
【数１０】
2020520151.tif 000012
ここで、Ｗｋ（ｉ）、ｓｋ（ｉ）はＣＳＩ−ＩＭリソースのｉ番目のＲＥにおけるｋ番目のＵＥ関連付けられたプレコーディング行列およびデータベクトルである。
【００７７】
各無線デバイスは、ＣＳＩ−ＩＭリソースを介した干渉、ＩＺＰを測定し、ＮＺＰ  ＣＳＩ−ＲＳリソースを介したプレコーディングされた信号電力を推定する。すなわちｐｓ＝β｜｜ＨＷ｜｜＾２であり、ここで、Ｈは推定されたチャネル行列であり、ＷはＮＺＰ  ＣＳＩ−ＲＳリソースから推定されたプレコーディング行列である。各無線デバイス１４は設定されたコードブックに従って、Ｉ＝ＩＺＰ−ｐｓ及びＨに基づいて、ＣＳＩを算出し、報告する。ここで、バイアスｐｓは、各無線デバイス１４について意図されたプレコーディングされた信号がその干渉を測定するためにＭＵ−ＭＩＭＯグループ内の他の無線デバイス１４のためのＣＳＩ−ＩＭリソース内で送信されることに起因する。したがって、１つ以上の実施の形態において、それは、他の無線デバイス１４からの総干渉の推定値を得るために、ＣＳＩ−ＩＭリソース上で行われた測定ＩＺＰから取り除かれる。
【００７８】
一例を図１５に示す。そこでは、３つの無線デバイス１４ａ−１４ｃがＭＵ−ＭＩＭＯ候補であり、各々が１つのＮＺＰ  ＣＳＩ−ＲＳリソースで構成される。すなわち無線デバイス１４ａに対してＮＺＰ  ＣＳＩ−ＲＳ１、無線デバイス１４ｂに対してＮＺＰ  ＣＳＩ−ＲＳ２、無線デバイス１４ｃに対してＮＺＰ  ＣＳＩ−ＲＳ３が設定されている。また、３つの無線デバイス１４すべてに１つの共通ＣＳＩ−ＩＭリソースが設定されている。
【００７９】
図１６は、本開示の原理による、ネットワークノード１２の代替的な実施の形態である。この実施の形態では、ネットワークノード１２は、上述のように送信、伝送、および／またはシグナリングを実行するための送信モジュール４０を含む。ネットワークノード１２は、設定コード２６に関して上述したような機能及び／又はプロセスを実行するための設定モジュール４２を含む。
【００８０】
図１７は、本開示の原理による、無線デバイス１４の代替的な実施の形態である。この実施の形態では、無線デバイス１４は、上述したような送信、通信、および／またはシグナリングをネットワークノード１２から受信するための受信モジュール４４を含む。無線デバイス１４は、推定コード３８に関して上述したプロセスおよび／または機能を実行するための推定モジュール４６を含む。
【００８１】
本開示のある態様によると、ＵＥ１４の方法が提供される。方法は、前記ＵＥ１４が、シグナリングを受信すること（Ｓ１１０）であって、前記シグナリングが以下を含む：チャネル測定用の第１非ゼロ電力（ＮＺＰ）チャネル状態情報参照信号（ＣＳＩ−ＲＳ）設定；干渉測定用の第２ＮＺＰ  ＣＳＩ−ＲＳ設定；干渉測定用のＣＳＩ干渉測定（ＣＳＩ−ＩＭ）設定；受信することと、前記ＵＥ１４が、前記シグナリングされた第１ＮＺＰ  ＣＳＩ−ＲＳ設定と前記第２ＮＺＰ  ＣＳＩ−ＲＳ設定と、前記ＣＳＩ−ＩＭ設定と、に少なくとも部分的に基づいて、ＣＳＩを推定すること（Ｓ１１４）と、を含む。
【００８２】
本態様によると、ある実施の形態では、前記第２ＮＺＰ  ＣＳＩ−ＲＳ設定が、前記干渉測定用のＫ個（Ｋ≧１）のＮＺＰ  ＣＳＩ−ＲＳリソースを設定するためのものである。ある実施の形態では、前記Ｋ個のＮＺＰ  ＣＳＩ−ＲＳリソースにおいて測定された前記干渉測定がマルチユーザ複数入力複数出力（ＭＵ−ＭＩＭＯ）干渉に対応する。ある実施の形態では、Ｋ＋１が、マルチユーザ複数入力複数出力（ＭＵ−ＭＩＭＯ）通信のユーザ装置候補の数に対応する。ある実施の形態では、前記第２ＮＺＰ  ＣＳＩ−ＲＳ設定がマルチユーザ（ＭＵ）干渉測定のためのものである。ある実施の形態では、前記ＣＳＩ−ＩＭ設定がセル間干渉測定のためのものである。ある実施の形態では、前記シグナリングを受信すること（Ｓ１１０）がさらに、コードブック設定を含む前記シグナリングを受信することを含む。ある実施の形態では、前記ＣＳＩを推定すること（Ｓ１１４）がさらに、前記コードブック設定に基づいて前記ＣＳＩを推定することを含む。ある実施の形態では、方法はさらに、前記ＵＥ１４が、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、前記コードブック設定と、に基づいて、ＣＳＩのＣＳＩフィードバック要求を受信すること（Ｓ１１２）を含む。ある実施の形態では、方法はさらに、前記ＵＥ１４が、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、に基づいて、ＣＳＩのＣＳＩフィードバック要求を受信すること（Ｓ１１２）を含む。ある実施の形態では、前記ＣＳＩを推定することがさらに、前記第１ＮＺＰ  ＣＳＩ−ＲＳ設定に対応する第１ＮＺＰ  ＣＳＩ−ＲＳリソース上のダウンリンクチャネルを測定すること（Ｓ１１４）を含む。ある実施の形態では、前記ＣＳＩを推定すること（Ｓ１１４）がさらに、前記第２ＮＺＰ  ＣＳＩ−ＲＳ設定に対応するＫ個のＮＺＰ  ＣＳＩ−ＲＳリソースのそれぞれ上の干渉を測定することを含む。ある実施の形態では、前記Ｋ個のＮＺＰ  ＣＳＩ−ＲＳリソースのそれぞれ上の前記干渉を測定することによりＫ個の干渉電力推定が生じる。ある実施の形態では、前記Ｋ個の干渉電力推定のそれぞれが、前記Ｋ個のＮＺＰ  ＣＳＩ−ＲＳリソースに関連付けられた電力スケーリングファクタに従ってスケーリングされる。ある実施の形態では、前記第２ＮＺＰ  ＣＳＩ−ＲＳ設定が、前記干渉測定の前記第２ＮＺＰ  ＣＳＩ−ＲＳ設定によって設定されたＫ個のＮＺＰ  ＣＳＩ−ＲＳリソースのそれぞれの電力スケーリングファクタを含む。ある実施の形態では、前記ＣＳＩを推定すること（Ｓ１１４）が、前記ＣＳＩ−ＩＭ設定に対応する少なくともひとつのＣＳＩ−ＩＭリソース上の干渉を測定することを含む。ある実施の形態では、前記少なくともひとつのＣＳＩ−ＩＭリソース上の前記干渉を測定することにより少なくともひとつの干渉電力推定が生じる。ある実施の形態では、方法は、少なくとも、前記Ｋ個のＮＺＰ  ＣＳＩ−ＲＳリソースに基づく前記Ｋ個の干渉電力推定と、前記少なくともひとつのＣＳＩ−ＩＭリソースに基づく前記少なくともひとつの干渉電力推定と、を足し合わせることによって、合成干渉推定を得ることをさらに含む。ある実施の形態では、前記推定されたＣＳＩが、前記合成干渉推定および測定されたダウンリンクチャネルに基づく。ある実施の形態では、前記測定されたダウンリンクチャネルが、前記第１ＮＺＰ  ＣＳＩ−ＲＳ設定に対応する第１ＮＺＰ  ＣＳＩ−ＲＳリソース上で測定される。ある実施の形態では、方法はさらに、前記ＵＥ１４が、コードブック設定を含むＣＳＩフィードバック要求を受信することをさらに含む。
【００８３】
本開示の別の態様によると、処理回路３２を含むＵＥ１４が提供される。処理回路３２は、前記ＵＥ１４に、シグナリングを受信することであって、前記シグナリングが以下を含む：チャネル測定用の第１非ゼロ電力（ＮＺＰ）チャネル状態情報（ＣＳＩ）参照信号（ＲＳ）設定；干渉測定用の第２ＮＺＰ  ＣＳＩ−ＲＳ設定；干渉測定用のＣＳＩ干渉測定（ＣＳＩ−ＩＭ）設定；受信することと、前記シグナリングされた第１ＮＺＰ  ＣＳＩ−ＲＳ設定と前記第２ＮＺＰ  ＣＳＩ−ＲＳ設定と、前記ＣＳＩ−ＩＭ設定と、に少なくとも部分的に基づいて、ＣＳＩを推定することと、を行わせるよう構成される。
【００８４】
本態様によると、ある実施の形態では、前記第２ＮＺＰ  ＣＳＩ−ＲＳ設定が、前記干渉測定用のＫ個（Ｋ≧１）のＮＺＰ  ＣＳＩ−ＲＳリソースを設定するためのものである。ある実施の形態では、前記Ｋ個のＮＺＰ  ＣＳＩ−ＲＳリソースにおいて測定された前記干渉測定がマルチユーザ複数入力複数出力（ＭＵ−ＭＩＭＯ）干渉に対応する。ある実施の形態では、Ｋ＋１が、マルチユーザ複数入力複数出力（ＭＵ−ＭＩＭＯ）通信のユーザ装置候補の数に対応する。ある実施の形態では、前記第２ＮＺＰ  ＣＳＩ−ＲＳ設定がマルチユーザ（ＭＵ）干渉測定のためのものである。ある実施の形態では、前記ＣＳＩ−ＩＭ設定がセル間干渉測定のためのものである。ある実施の形態では、前記受信されたシグナリングがさらに、コードブック設定を含む。ある実施の形態では、前記処理回路３２は、前記コードブック設定に基づいて前記ＣＳＩを推定するようさらに構成されることによって、前記ＵＥ１４に前記ＣＳＩを推定させるよう構成される。ある実施の形態では、前記処理回路３２はさらに、前記ＵＥ１４に、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、前記コードブック設定と、に基づいて、ＣＳＩのＣＳＩフィードバック要求を受信させるよう構成される。ある実施の形態では、前記処理回路３２はさらに、前記ＵＥ１４に、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、に基づいて、ＣＳＩのＣＳＩフィードバック要求を受信させるよう構成される。ある実施の形態では、前記処理回路３２は、前記第１ＮＺＰ  ＣＳＩ−ＲＳ設定に対応する第１ＮＺＰ  ＣＳＩ−ＲＳリソース上のダウンリンクチャネルを測定するようさらに構成されることによって、前記ＵＥ１４に前記ＣＳＩを推定させるよう構成される。ある実施の形態では、前記処理回路３２は、前記第２ＮＺＰ  ＣＳＩ−ＲＳ設定に対応するＫ個のＮＺＰ  ＣＳＩ−ＲＳリソースのそれぞれ上の干渉を測定するようさらに構成されることによって、前記ＵＥ１４に、前記ＣＳＩを推定させるよう構成される。ある実施の形態では、前記処理回路３２は、前記Ｋ個のＮＺＰ  ＣＳＩ−ＲＳリソースのそれぞれ上の前記干渉を測定することによりＫ個の干渉電力推定が生じるよう構成される。ある実施の形態では、前記処理回路３２は、前記Ｋ個の干渉電力推定のそれぞれを、前記Ｋ個のＮＺＰ  ＣＳＩ−ＲＳリソースに関連付けられた電力スケーリングファクタに従ってスケーリングするよう構成される。ある実施の形態では、前記第２ＮＺＰ  ＣＳＩ−ＲＳ設定が、前記干渉測定の前記第２ＮＺＰ  ＣＳＩ−ＲＳ設定によって設定されたＫ個のＮＺＰ  ＣＳＩ−ＲＳリソースのそれぞれの電力スケーリングファクタを含む。ある実施の形態では、前記処理回路３２は、前記ＣＳＩ−ＩＭ設定に対応する少なくともひとつのＣＳＩ−ＩＭリソース上の干渉を測定するようさらに構成されることによって、前記ＵＥ１４に、前記ＣＳＩを推定させるよう構成される。ある実施の形態では、前記処理回路３２は、前記少なくともひとつのＣＳＩ−ＩＭリソース上の前記干渉を測定することにより少なくともひとつの干渉電力��定が生じるよう構成される。ある実施の形態では、前記処理回路３２は、前記ＵＥ１４に、少なくとも、前記Ｋ個のＮＺＰ  ＣＳＩ−ＲＳリソースに基づく前記Ｋ個の干渉電力推定と、前記少なくともひとつのＣＳＩ−ＩＭリソースに基づく前記少なくともひとつの干渉電力推定と、を足し合わせることによって、合成干渉推定を取得させるよう構成される。ある実施の形態では、前記処理回路３２は、前記ＵＥ１４に、前記合成干渉推定および測定されたダウンリンクチャネルに基づいて前記ＣＳＩを推定させるよう構成される。ある実施の形態では、前記測定されたダウンリンクチャネルが、前記第１ＮＺＰ  ＣＳＩ−ＲＳ設定に対応する第１ＮＺＰ  ＣＳＩ−ＲＳリソース上で測定される。ある実施の形態では、前記処理回路３２はさらに、前記ＵＥ１４に、コードブック設定を含むＣＳＩフィードバック要求を受信させるよう構成される。
【００８５】
本開示のさらに別の態様によると、基地局１２の方法が提供される。方法は、基地局１２が、ユーザ装置、ＵＥ１４に：チャネル測定用の第１非ゼロ電力（ＮＺＰ）チャネル状態情報（ＣＳＩ）参照信号（ＲＳ）設定；干渉測定用の第２ＮＺＰ  ＣＳＩ−ＲＳ設定；干渉測定用のＣＳＩ干渉測定（ＣＳＩ−ＩＭ）設定；をシグナリングすること（Ｓ１００）と、基地局１２が、前記シグナリングされた第１ＮＺＰ  ＣＳＩ−ＲＳ設定と前記第２ＮＺＰ  ＣＳＩ−ＲＳ設定と、前記ＣＳＩ−ＩＭ設定と、に少なくとも部分的に基づくＣＳＩレポートを前記ＵＥ１４から受信すること（Ｓ１０６）と、を含む。
【００８６】
本態様によると、ある実施の形態では、前記第２ＮＺＰ  ＣＳＩ−ＲＳ設定が、前記干渉測定用のＫ個（Ｋ≧１）のＮＺＰ  ＣＳＩ−ＲＳリソースを設定するためのものである。ある実施の形態では、前記Ｋ個のＮＺＰ  ＣＳＩ−ＲＳリソースにおいて測定された前記干渉測定がマルチユーザ複数入力複数出力（ＭＵ−ＭＩＭＯ）干渉に対応する。ある実施の形態では、Ｋ＋１が、マルチユーザ複数入力複数出力（ＭＵ−ＭＩＭＯ）通信のユーザ装置候補の数に対応する。ある実施の形態では、前記第２ＮＺＰ  ＣＳＩ−ＲＳ設定がマルチユーザ（ＭＵ）干渉測定のためのものである。ある実施の形態では、前記ＣＳＩ−ＩＭ設定がセル間干渉測定のためのものである。ある実施の形態では、前記シグナリングすること（Ｓ１００）がさらに、コードブック設定をシグナリングすることを含む。ある実施の形態では、前記受信されたＣＳＩレポートが、前記シグナリングされたコードブック設定に少なくとも部分的に基づく。ある実施の形態では、方法は、前記基地局１２から、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、前記コードブック設定と、に基づいて、ＣＳＩのＣＳＩフィードバック要求を前記ＵＥ１４に送信すること（Ｓ１０２）をさらに含む。ある実施の形態では、方法は、前記基地局１２から、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、に基づいて、ＣＳＩのＣＳＩフィードバック要求を前記ＵＥ１４に送信すること（Ｓ１０２）をさらに含む。ある実施の形態では、方法は、前記基地局１２から、前記第１ＮＺＰ  ＣＳＩ−ＲＳ設定および前記第２ＮＺＰ  ＣＳＩ−ＲＳ設定の前記シグナリングによって設定されたＫ＋１個のＮＺＰ  ＣＳＩ−ＲＳリソースを介して、Ｋ＋１個のＮＺＰ  ＣＳＩ参照信号（ＲＳ）を送信すること（Ｓ１０４）をさらに含む。ある実施の形態では、前記基地局１２が前記ＵＥ１４にシグナリングすることが、無線リソース制御シグナリングを介して準静的にシグナリングすることを含む。ある実施の形態では、前記基地局１２から前記ＣＳＩフィードバック要求を前記ＵＥ１４に送信することが、前記ＣＳＩフィードバック要求をダウンリンク制御チャネルを介して動的に送信することを含む。ある実施の形態では、前記第２ＮＺＰ  ＣＳＩ−ＲＳ設定が、前記干渉測定の前記第２ＮＺＰ  ＣＳＩ−ＲＳ設定によって設定されたＫ個のＮＺＰ  ＣＳＩ−ＲＳリソースのそれぞれの電力スケーリングファクタを含む。ある実施の形態では、前記受信されたＣＳＩレポートが合成干渉推定および測定されたダウンリンクチャネルに基づくものであり、前記合成干渉推定が、少なくとも、前記第２ＮＺＰ  ＣＳＩ−ＲＳ設定によって設定されたＫ個のＮＺＰ  ＣＳＩ−ＲＳリソースに基づくＫ個の干渉電力推定と、前記ＣＳＩ−ＩＭ設定によって設定された少なくともひとつのＣＳＩ−ＩＭリソースに基づく少なくともひとつの干渉電力推定と、の和であり、前記測定されたダウンリンクチャネルが、前記第１ＮＺＰ  ＣＳＩ−ＲＳ設定に対応する第１ＮＺＰ  ＣＳＩ−ＲＳリソースに基づく。ある実施の形態では、方法は、前記基地局１２から、コ���ドブック設定を含むＣＳＩフィードバック要求を送信することをさらに含む。
【００８７】
本開示のさらに別の態様によると、処理回路２０を含む基地局１２が提供される。処理回路２０は、基地局１２に：ＵＥ１４に：チャネル測定用の第１非ゼロ電力（ＮＺＰ）チャネル状態情報（ＣＳＩ）参照信号（ＲＳ）設定；干渉測定用の第２ＮＺＰ  ＣＳＩ−ＲＳ設定；干渉測定用のＣＳＩ干渉測定（ＣＳＩ−ＩＭ）設定；をシグナリングすることと、前記シグナリングされた第１ＮＺＰ  ＣＳＩ−ＲＳ設定と前記第２ＮＺＰ  ＣＳＩ−ＲＳ設定と、前記ＣＳＩ−ＩＭ設定と、に少なくとも部分的に基づくＣＳＩレポートを前記ＵＥ１４から受信することと、を行わせるよう構成される。
【００８８】
本態様によると、ある実施の形態では、前記第２ＮＺＰ  ＣＳＩ−ＲＳ設定が、前記干渉測定用のＫ個（Ｋ≧１）のＮＺＰ  ＣＳＩ−ＲＳリソースを設定するためのものである。ある実施の形態では、前記Ｋ個のＮＺＰ  ＣＳＩ−ＲＳリソースにおいて測定された前記干渉測定がマルチユーザ複数入力複数出力（ＭＵ−ＭＩＭＯ）干渉に対応する。ある実施の形態では、Ｋ＋１が、マルチユーザ複数入力複数出力（ＭＵ−ＭＩＭＯ）通信のユーザ装置候補の数に対応する。ある実施の形態では、前記第２ＮＺＰ  ＣＳＩ−ＲＳ設定がマルチユーザ（ＭＵ）干渉測定のためのものである。ある実施の形態では、前記ＣＳＩ−ＩＭ設定がセル間干渉測定のためのものである。ある実施の形態では、前記処理回路２０は、コードブック設定をシグナリングするようさらに構成されることによって、前記ＵＥ１４にシグナリングするよう構成される。ある実施の形態では、前記受信されたＣＳＩレポートが、前記シグナリングされたコードブック設定に少なくとも部分的に基づく。ある実施の形態では、処理回路２０はさらに、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、前記コードブック設定と、に基づいて、ＣＳＩのＣＳＩフィードバック要求を前記ＵＥ１４に送信する（Ｓ１０２）よう構成される。ある実施の形態では、前記処理回路２０はさらに、前記ＵＥ１４に、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、に基づいて、ＣＳＩのＣＳＩフィードバック要求を送信するよう構成される。ある実施の形態では、前記処理回路２０はさらに、前記第１ＮＺＰ  ＣＳＩ−ＲＳ設定および前記第２ＮＺＰ  ＣＳＩ−ＲＳ設定の前記シグナリングによって設定されたＫ＋１個のＮＺＰ  ＣＳＩ−ＲＳリソースを介して、Ｋ＋１個のＮＺＰ  ＣＳＩ参照信号、ＲＳ、を送信するよう構成される。ある実施の形態では、前記処理回路２０は、無線リソース制御シグナリングを介して準静的にシグナリングするようさらに構成されることによって、前記ＵＥ１４にシグナリングするよう構成される。ある実施の形態では、前記処理回路２０は、ダウンリンク制御チャネルを介して前記ＣＳＩフィードバック要求を動的に送信するようさらに構成されることによって、前記ＵＥ１４に前記ＣＳＩフィードバック要求を送信するよう構成される。ある実施の形態では、前記処理回路２０は、前記干渉測定用の前記第２ＮＺＰ  ＣＳＩ−ＲＳ設定によって設定されたＫ個のＮＺＰ  ＣＳＩ−ＲＳリソースのそれぞれの電力スケーリングファクタを含む前記第２ＮＺＰ  ＣＳＩ−ＲＳ設定をシグナリングするようさらに構成されることによって、前記ＵＥ１４にシグナリングするよう構成される。ある実施の形態では、前記受信されたＣＳＩレポートが合成干渉推定および測定されたダウンリンクチャネルに基づくものであり、前記合成干渉推定が、少なくとも、前記第２ＮＺＰ  ＣＳＩ−ＲＳ設定によって設定されたＫ個のＮＺＰ  ＣＳＩ−ＲＳリソースに基づくＫ個の干渉電力推定と、前記ＣＳＩ−ＩＭ設定によって設定された少なくともひとつのＣＳＩ−ＩＭリソースに基づく少なくともひとつの干渉電力推定と��の和であり、前記測定されたダウンリンクチャネルが、前記第１ＮＺＰ  ＣＳＩ−ＲＳ設定に対応する第１ＮＺＰ  ＣＳＩ−ＲＳリソースに基づく。ある実施の形態では、前記処理回路２０はさらに、コードブック設定を含むＣＳＩフィードバック要求を送信するよう構成される。
【００８９】
本開示のいくつかの実施の形態は以下を含む：
実施の形態１。データをユーザ装置に送信する複数の送信アンテナポートを備えるアクセスノードからなる無線ネットワークにおけるチャネル状態情報フィードバックの方法。方法は以下を備える。
アクセスノードが、ＵＥに、チャネル測定用の第１ＮＺＰ  ＣＳＩ−ＲＳ設定と、ＭＵ干渉測定用の、Ｋ≧１のＮＺＰ  ＣＳＩ−ＲＳの第２設定と、セル間干渉測定用のＣＳＩ−ＩＭリソース設定と、コードブック設定と、をシグナリングすることと、
前記アクセスノードが、ＮＺＰ  ＣＳＩ−ＲＳリソースの前記設定された前記第１および前記第２設定と、前記ＣＳＩ−ＩＭリソースと、前記コードブックと、に基づいてＣＳＩ測定およびフィードバックのためのＣＳＩフィードバック要求を前記ＵＥに送信することと、
前記アクセスノードから、前記設定されたＫ＋１個のＮＺＰ  ＣＳＩ−ＲＳリソースを介して、Ｋ＋１個のＮＺＰ  ＣＳＩ−ＲＳを送信することと、
前記ＵＥが、ＮＺＰ  ＣＳＩ−ＲＳリソースの前記シグナリングされた第１および前記第２設定と前記ＣＳＩ−ＩＭリソースと、前記コードブックと、に基づいてＣＳＩを推定することと、
前記アクセスノードが、前記ＵＥからＣＳＩレポートを受信することと、
前記アクセスノードから、前記報告されたＣＳＩを伴うデータを前記ＵＥに送信すること。
実施の形態２。前記推定することが、前記第１ＮＺＰ  ＣＳＩ−ＲＳリソース上でダウンリンクチャネルを測定することを含む実施の形態１に記載の方法。
実施の形態３。前記Ｋ個のＮＺＰ  ＣＳＩ−ＲＳリソースのそれぞれ上の干渉電力を測定することによりＫ個の干渉電力推定が生じる実施の形態１に記載の方法。
実施の形態４。前記推定することが、前記ＣＳＩ−ＩＭリソース上で前記セル間干渉電力を測定することをさらに含む実施の形態１に記載の方法。
実施の形態５。前記測定されたセル間干渉電力を前記Ｋ個の干渉電力推定のそれぞれから減じることによって、Ｋ個のＭＵ干渉電力推定が生じる実施の形態３または４に記載の方法。
実施の形態６。前記Ｋ個のＭＵ干渉電力推定と前記セル間干渉推定とを足し合わせることによって、総干渉推定が生じる実施の形態３から５のいずれかに記載の方法。
実施の形態７。前記ＣＳＩ推定が、前記総干渉推定および前記測定されたダウンリンクチャネルに基づく実施の形態１から６のいずれかに記載の方法。
実施の形態７ａ。前記ＣＳＩフィードバック要求がさらに複数の干渉仮説を含むことができる実施の形態１に記載の方法。
実施の形態７ｂ。前記干渉仮説が、複数の干渉している無線デバイスまたは最大数の干渉している無線デバイスの仮定を含むことができ、各無線デバイスが前記Ｋ個のＮＺＰ  ＣＳＩ−ＲＳのうちのひとつに関連付けられている実施の形態７ａに記載の方法。
実施の形態７ｃ。前記ＣＳＩがさらにＳＵ−ＭＩＭＯ  ＣＳＩおよびひとつ以上のＭＵ  ＣＳＩを含むことができる実施の形態１に記載の方法。
実施の形態７ｄ。前記ＳＵ−ＭＩＭＯ  ＣＳＩがＭＵ干渉を伴わないＣＳＩに対応する実施の形態７ｃに記載の方法。
実施の形態７ｅ。前記ＭＵ−ＭＩＭＯ  ＣＳＩが、前記Ｋ個のＮＺＰ  ＣＳＩ−ＲＳリソースのうちの複数のＮＺＰ  ＣＳＩ−ＲＳリソースに亘って推定されたＭＵ干渉の総和の最小値を伴うＣＳＩに対応する実施の形態７ｃに記載の方法。
実施の形態７ｆ。前記ＮＺＰ  ＣＳＩ−ＲＳリソースの数が前記干渉仮説で指定される実施の形態７ｅに記載の方法。
実施の形態８。前記シグナリングが無線リソース制御シグナリングを介した準静的なものである実施の形態１に記載の方法。
実施の形態９。前記シグナリングがダウンリンク制御チャネルを介した動的なものである実施の形態１に記載の方法。
実施の形態１０。前記送信がダウンリンク制御チャネルを介した動的なものである実施の形態１に記載の方法。
実施の形態１１。前記シグナリングおよび前記送信が、ダウンリンク制御チャネルを介した同じダウンリンク制御情報内にある実施の形態１に記載の方法。
実施の形態１１ａ。前記第１および前記第２ＮＺＰ  ＣＳＩ−ＲＳ設定がさらに、各ＮＺＰ  ＣＳＩ−ＲＳの電力比パラメータを含む実施の形態１から１１のいずれかに記載の方法。
実施の形態１２。データを無線デバイスに送信する複数の送信アンテナポートを備えるアクセスノードからなる無線ネットワークにおけるチャネル状態情報フィードバックの方法であって、該方法は以下を含む：
アクセスノードが、無線デバイスに、チャネル測定用のＮＺＰ  ＣＳＩ−ＲＳリソース設定と、干渉測定用のＣＳＩ−ＩＭリソース設定と、コードブック設定と、をシグナリングすることと、
前記アクセスノードが、前記設定されたＮＺＰ  ＣＳＩ−ＲＳリソースと、前記ＣＳＩ−ＩＭリソースと、前記コードブックと、に基づいてＣＳＩ測定およびフィードバックのためのマルチユーザ（ＭＵ）ＣＳＩフィードバック要求を前記無線デバイスにサブフレームまたはスロット内で送信することと、
前記アクセスノードから、前記設定されたＮＺＰ  ＣＳＩ−ＲＳリソースを介してＮＺＰ  ＣＳＩ−ＲＳ信号を、前記ＣＳＩ−ＩＭリソース上でＭＵ信号を、送信することと、
前記ＵＥが、前記コードブックに従って、前記ＮＺＰ  ＣＳＩ−ＲＳリソース上で受信された信号と前記ＣＳＩ−ＩＭリソース上の干渉とに基づいてＭＵ  ＣＳＩを推定することと、
前記アクセスノードが、前記無線デバイスからＭＵ  ＣＳＩレポートを受信することと、
前記アクセスノードから、前記報告されたＣＳＩを伴うデータを前記ＵＥに送信すること。
実施の形態１３ａ。チャネル測定用の前記ＮＺＰ  ＣＳＩ−ＲＳリソース設定がさらに各ＮＺＰ  ＣＳＩ−ＲＳの電力比パラメータを含む実施の形態１２に記載の方法。
実施の形態１３ｂ。前記推定することが、前記ＮＺＰ  ＣＳＩ−ＲＳリソース上でダウンリンクチャネルを測定することを含む実施の形態１２に記載の方法。
実施の形態１４。前記測定することがさらに、前記推定されたチャネルに対する前記プレコーディング行列および前記電力比を乗じることによって、プレコーディング行列および信号電力を測定することを含む実施の形態１３ａまたは１３ｂに記載の方法。
実施の形態１５。前記推定することが、前記ＣＳＩ−ＩＭリソース上で干渉電力を測定することをさらに含む実施の形態１２に記載の方法。
実施の形態１６。前記測定された信号電力を前記測定された干渉電力から減じることによって、干渉電力の新たな推定が生じる実施の形態１４または１５に記載の方法。
実施の形態１７。前記ＣＳＩ推定が、前記干渉電力の新たな推定および前記測定されたダウンリンクチャネルに基づく実施の形態１２から１６のいずれかに記載の方法。
実施の形態１８。前記シグナリングが無線リソース制御シグナリングを介した準静的なものである実施の形態１に記載の方法。
実施の形態１９。前記シグナリングがダウンリンク制御チャネルを介した動的なものである実施の形態１に記載の方法。
実施の形態２０。前記送信がダウンリンク制御チャネルを介した動的なものである実施の形態１に記載の方法。
実施の形態２１ａ。前記シグナリングおよび前記送信が、ダウンリンク制御チャネルを介した同じダウンリンク制御情報内にある実施の形態１に記載の方法。
実施の形態２１ｂ。チャネル測定用の前記ＮＺＰ  ＣＳＩ−ＲＳリソース設定が電力比パラメータを含む実施の形態１から２１ａのいずれかに記載の方法。
【００９０】
当業者により理解されるように、ここで説明される概念は方法、データ処理システム、および／又はコンピュータプログラム製品として具体化されてもよい。したがって、ここに説明される概念は、全てハードウェアに具体化されたもの、全てソフトウェアに具体化されたもの、ソフトウェアとここで一般に回路又はモジュールと呼ばれる態様のハードウェアとを組み合わせて具体化されたものの形態をとることができる。さらに、本開示は、コンピュータによって実行可能な媒体に具体化されたコンピュータプログラムコードを有する有形のコンピュータ利用可能な記憶媒体上のコンピュータプログラム製品の形態をとることができる。ハードディスク、ＣＤ−ＲＯＭ、電子記憶装置、光記憶装置、または磁気記憶装置を含む任意の適切な有形のコンピュータ可読媒体が利用できる。
【００９１】
いくつかの実施形態は、フローチャート図および／又は方法、システム及びコンピュータプログラム製品のブロック図を参照して説明される。フローチャート図および／又はブロック図およびフローチャート図のブロックおよび／又はブロック図の組み合わせの各ブロックはコンピュータプログラムインストラクションにより実施できることは理解されるだろう。これらのコンピュータプログラムインストラクションは、汎用コンピュータのプロセッサ、専用コンピュータ、または他の機械を製造するためのプログラマブルデータ処理装置に提供され、そのようなインストラクションは、コンピュータのプロセッサまたは他のプログラマブルデータ処理装置により実行され、フローチャートおよび／又はブロック図に指定される機能や動作を実施するための手段を作成する。
【００９２】
これらのコンピュータプログラムインストラクションは、コンピュータ可読メモリに記憶されたインストラクションが、フローチャートおよび／又はブロック図のブロックに指定された機能・動作を実施する指示手段を含む製品を生成するように、特定の方法でコンピュータ又は他のプログラマブルデータ処理装置を機能させる、コンピュータ可読メモリ又は記憶媒体に記憶される。
【００９３】
コンピュータプログラムインストラクションは、コンピュータ又は他のプログラマブルデータ処理装置にロードされて、コンピュータ又は他のプログラマブル装置で一連の動作ステップを実行させ、コンピュータ又は他のプログラマブルな装置で実行して、フローチャートおよび／又はブロック図のブロックに指定された機能／動作を実行するためのステップを提供するコンピュータ実行プロセスを生成する。ブロックに記された機能又は動作は動作図に記された順番から外れることがあることを理解されたい。例えば、連続して示される２つのブロックは、実際、実質的に同時に実行されてよく、又は関係する機能／動作に応じて逆順で実行されてもよい。図のいくつかは通信の主な方向を示すための通信経路上の矢印を含むが、通信は示された矢印と逆方向に生じてもよいことを理解されたい。
【００９４】
ここに説明された概念の動作を実行するためのコンピュータプログラムコードは、Ｊａｖａ（登録商標）又はＣ＋＋などのオブジェクト指向プログラム言語で記述されてもよい。しかしながら、この開示の動作を実行するためのコンピュータプログラムコードはさらに、Ｃプログラム言語などの従来の手続き型プログラミング言語で記述されてもよい。プログラムコードは、ユーザのコンピュータ上で全て、ユーザのコンピュータ上で部分的に、スタンドアローンのソフトウエアパッケージとして、部分的にはユーザのコンピュータ上と部分的にはリモートコンピュータ上で、又は全てリモートコンピュータ上で実行されてもよい。後者のシナリオではリモートコンピュータはユーザのコンピュータと、ローカルエリアネットワーク（ＬＡＮ）又は広域ネットワーク（ＷＡＮ）又は外部コンピュータへ作成された接続（例えばインターネットサービスプロバイダを使うインターネットを通じて）を通じて接続される。
【００９５】
上記の説明および図面に関連して、多くの異なる実施の形態がここに開示されている。これらの実施の形態の全ての組み合わせおよびサブコンビネーションを文字通り説明および図示することは過度にくどくて難読であることは理解される。したがって、全ての実施の形態が任意の方法および／又は組み合わせで組み合わせることができ、図面を含むこの明細書は、ここに記載され実施の形態およびそれらを行いそして用いる方法とプロセスの全ての組み合わせおよびサブコンビネーションの完全な記述を構成すると解釈されるべきであり、そのような組み合わせまたはサブコンビネーションは請求項をサポートする。
当業者はここに記載の実施の形態は、上記に特に示され、説明されたものに限定されないことが理解されよう。さらに、上に言及されていない限り、添付の図面の全ては縮尺どおりではないことに留意されたい。以下の特許請求の範囲から逸脱することなく、上記の教示に照らして様々な変更および変形が可能である。
【図１】
2020520151.tif 000013
【図２】
2020520151.tif 000014
【図３】
2020520151.tif 000015
【図４】
2020520151.tif 000016
【図５】
2020520151.tif 000017
【図６】
2020520151.tif 000018
【図７】
2020520151.tif 000019
【図８】
2020520151.tif 000020
【図９】
2020520151.tif 000021
【図１０】
2020520151.tif 000022
【図１１】
2020520151.tif 000023
【図１２】
2020520151.tif 000024
【図１３】
2020520151.tif 000025
【図１４】
2020520151.tif 000026
【図１５】
2020520151.tif 000027
【図１６】
2020520151.tif 000028
【図１７】
2020520151.tif 000029
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
ユーザ装置、ＵＥ（１４）の方法であって、前記方法は、
前記ＵＥ（１４）がシグナリングを受信すること（Ｓ１１０）であって、前記シグナリングが、チャネル測定用の第１非ゼロ電力、ＮＺＰ、チャネル状態情報、ＣＳＩ、参照信号、ＲＳ、設定と、干渉測定用の第２ＮＺＰ  ＣＳＩ−ＲＳ設定と、干渉測定用のＣＳＩ干渉測定、ＣＳＩ−ＩＭ、設定と、を含む、受信することと、
前記ＵＥ（１４）が、前記シグナリングされた第１ＮＺＰ  ＣＳＩ−ＲＳ設定と前記第２ＮＺＰ  ＣＳＩ−ＲＳ設定と、前記ＣＳＩ−ＩＭ設定と、に少なくとも部分的に基づいて、ＣＳＩを推定すること（Ｓ１１４）と、を含み、
前記第２ＮＺＰ  ＣＳＩ−ＲＳ設定が、前記干渉測定用のＫ個（Ｋ≧１）のＮＺＰ  ＣＳＩ−ＲＳリソースを設定するためのものであり、Ｋ＋１が、マルチユーザ複数入力複数出力、ＭＵ−ＭＩＭＯ、のＵＥ候補の数に対応する方法。
【請求項２】
前記Ｋ個のＮＺＰ  ＣＳＩ−ＲＳリソースにおいて測定された前記干渉測定がマルチユーザ複数入力複数出力、ＭＵ−ＭＩＭＯ、干渉に対応する請求項１に記載の方法。
【請求項３】
前記第２ＮＺＰ  ＣＳＩ−ＲＳ設定がマルチユーザ、ＭＵ、干渉測定のためのものである請求項１または２に記載の方法。
【請求項４】
前記ＣＳＩ−ＩＭ設定がセル間干渉測定のためのものである請求項１から３のいずれか一項に記載の方法。
【請求項５】
前記シグナリングを受信すること（Ｓ１１０）がさらに、コードブック設定を含む前記シグナリングを受信することを含む請求項１から４のいずれか一項に記載の方法。
【請求項６】
前記ＣＳＩを推定すること（Ｓ１１４）がさらに、前記コードブック設定に基づいて前記ＣＳＩを推定することを含む請求項５に記載の方法。
【請求項７】
前記ＵＥ（１４）が、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、前記コードブック設定と、に基づいて、ＣＳＩのＣＳＩフィードバック要求を受信すること（Ｓ１１２）をさらに含む請求項５または６に記載の方法。
【請求項８】
前記ＵＥ（１４）が、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、に基づいて、ＣＳＩのＣＳＩフィードバック要求を受信すること（Ｓ１１２）をさらに含む請求項１から６のいずれか一項に記載の方法。
【請求項９】
前記ＣＳＩを推定すること（Ｓ１１４）がさらに、前記第１ＮＺＰ  ＣＳＩ−ＲＳ設定に対応する第１ＮＺＰ  ＣＳＩ−ＲＳリソース上のダウンリンクチャネルを測定することを含む請求項１から８のいずれか一項に記載の方法。
【請求項１０】
前記ＣＳＩを推定すること（Ｓ１１４）がさらに、前記第２ＮＺＰ  ＣＳＩ−ＲＳ設定に対応するＫ個のＮＺＰ  ＣＳＩ−ＲＳリソースのそれぞれ上の干渉を測定することを含む請求項１から９のいずれか一項に記載の方法。
【請求項１１】
前記Ｋ個のＮＺＰ  ＣＳＩ−ＲＳリソースのそれぞれ上の前記干渉を測定することによりＫ個の干渉電力推定が生じる請求項１０に記載の方法。
【請求項１２】
前記Ｋ個の干渉電力推定のそれぞれが、前記Ｋ個のＮＺＰ  ＣＳＩ−ＲＳリソースに関連付けられた電力スケーリングファクタに従ってスケーリングされる請求項１１に記載の方法。
【請求項１３】
前記第２ＮＺＰ  ＣＳＩ−ＲＳ設定が、前記干渉測定の前記第２ＮＺＰ  ＣＳＩ−ＲＳ設定によって設定されたＫ個のＮＺＰ  ＣＳＩ−ＲＳリソースのそれぞれの電力スケーリングファクタを含む請求項１から１２のいずれか一項に記載の方法。
【請求項１４】
前記ＣＳＩを推定すること（Ｓ１１４）が、前記ＣＳＩ−ＩＭ設定に対応する少なくともひとつのＣＳＩ−ＩＭリソース上の干渉を測定することを含む請求項１から１３のいずれか一項に記載の方法。
【請求項１５】
前記少なくともひとつのＣＳＩ−ＩＭリソース上の前記干渉を測定することにより少なくともひとつの干渉電力推定が生じる請求項１４に記載の方法。
【請求項１６】
少なくとも、前記Ｋ個のＮＺＰ  ＣＳＩ−ＲＳリソースに基づく前記Ｋ個の干渉電力推定と、前記少なくともひとつのＣＳＩ−ＩＭリソースに基づく前記少なくともひとつの干渉電力推定と、を足し合わせることによって、合成干渉推定を得ることをさらに含む請求項１１から１５のいずれか一項に記載の方法。
【請求項１７】
前記推定されたＣＳＩが、前記合成干渉推定および測定されたダウンリンクチャネルに基づく請求項１６に記載の方法。
【請求項１８】
前記測定されたダウンリンクチャネルが、前記第１ＮＺＰ  ＣＳＩ−ＲＳ設定に対応する第１ＮＺＰ  ＣＳＩ−ＲＳリソース上で測定される請求項１７に記載の方法。
【請求項１９】
前記ＵＥ（１４）が、コードブック設定を含むＣＳＩフィードバック要求を受信することをさらに含む請求項１から１８のいずれか一項に記載の方法。
【請求項２０】
処理回路（３２）を備えるユーザ装置（１４）であって、該処理回路（３２）は、前記ＵＥ（１４）に、
シグナリングを受信することであって、前記シグナリングは、チャネル測定用の第１非ゼロ電力、ＮＺＰ、チャネル状態情報、ＣＳＩ、参照信号、ＲＳ、設定と、干渉測定用の第２ＮＺＰ  ＣＳＩ−ＲＳ設定と、干渉測定用のＣＳＩ干渉測定、ＣＳＩ−ＩＭ、設定と、を含む、受信することと、
前記シグナリングされた第１ＮＺＰ  ＣＳＩ−ＲＳ設定と前記第２ＮＺＰ  ＣＳＩ−ＲＳ設定と、前記ＣＳＩ−ＩＭ設定と、に少なくとも部分的に基づいて、ＣＳＩを推定することと、を行わせるよう構成され、
前記第２ＮＺＰ  ＣＳＩ−ＲＳ設定が、前記干渉測定用のＫ個（Ｋ≧１）のＮＺＰ  ＣＳＩ−ＲＳリソースを設定するためのものであり、Ｋ＋１が、マルチユーザ複数入力複数出力、ＭＵ−ＭＩＭＯ、のＵＥ候補の数に対応するユーザ装置（１４）。
【請求項２１】
前記Ｋ個のＮＺＰ  ＣＳＩ−ＲＳリソースにおいて測定された前記干渉測定がマルチユーザ複数入力複数出力、ＭＵ−ＭＩＭＯ、干渉に対応する請求項２０に記載のＵＥ（１４）。
【請求項２２】
前記第２ＮＺＰ  ＣＳＩ−ＲＳ設定がマルチユーザ、ＭＵ、干渉測定のためのものである請求項２０または２１に記載のＵＥ（１４）。
【請求項２３】
前記ＣＳＩ−ＩＭ設定がセル間干渉測定のためのものである請求項２０から２２のいずれか一項に記載のＵＥ（１４）。
【請求項２４】
前記受信されたシグナリングがさらにコードブック設定を含む請求項２０から２３のいずれか一項に記載のＵＥ（１４）。
【請求項２５】
前記処理回路（３２）は、前記コードブック設定に基づいて前記ＣＳＩを推定するようさらに構成されることによって、前記ＵＥ（１４）に前記ＣＳＩを推定させるよう構成される請求項２４に記載のＵＥ（１４）。
【請求項２６】
前記処理回路（３２）はさらに、前記ＵＥ（１４）に、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、前記コードブック設定と、に基づいて、ＣＳＩのＣＳＩフィードバック要求を受信させるよう構成される請求項２４または２５に記載のＵＥ（１４）。
【請求項２７】
前記処理回路（３２）はさらに、前記ＵＥ（１４）に、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、に基づいて、ＣＳＩのＣＳＩフィードバック要求を受信させるよう構成される請求項２０から２５のいずれか一項に記載のＵＥ（１４）。
【請求項２８】
前記処理回路（３２）は、前記第１ＮＺＰ  ＣＳＩ−ＲＳ設定に対応する第１ＮＺＰ  ＣＳＩ−ＲＳリソース上のダウンリンクチャネルを測定するようさらに構成されることによって、前記ＵＥ（１４）に前記ＣＳＩを推定させるよう構成される請求項２０から２７のいずれか一項に記載のＵＥ（１４）。
【請求項２９】
前記処理回路（３２）は、前記第２ＮＺＰ  ＣＳＩ−ＲＳ設定に対応するＫ個のＮＺＰ  ＣＳＩ−ＲＳリソースのそれぞれ上の干渉を測定するようさらに構成されることによって、前記ＵＥ（１４）に、前記ＣＳＩを推定させるよう構成される請求項２０から２８のいずれか一項に記載のＵＥ（１４）。
【請求項３０】
前記処理回路（３２）は、前記Ｋ個のＮＺＰ  ＣＳＩ−ＲＳリソースのそれぞれ上の前記干渉を測定することによりＫ個の干渉電力推定が生じるよう構成される請求項２９に記載のＵＥ（１４）。
【請求項３１】
前記処理回路（３２）は、前記Ｋ個の干渉電力推定のそれぞれを、前記Ｋ個のＮＺＰ  ＣＳＩ−ＲＳリソースに関連付けられた電力スケーリングファクタに従ってスケーリングするよう構成される請求項３０に記載のＵＥ（１４）。
【請求項３２】
前記第２ＮＺＰ  ＣＳＩ−ＲＳ設定が、前記干渉測定の前記第２ＮＺＰ  ＣＳＩ−ＲＳ設定によって設定されたＫ個のＮＺＰ  ＣＳＩ−ＲＳリソースのそれぞれの電力スケーリングファクタを含む請求項２０から３１のいずれか一項に記載のＵＥ（１４）。
【請求項３３】
前記処理回路（３２）は、前記ＣＳＩ−ＩＭ設定に対応する少なくともひとつのＣＳＩ−ＩＭリソース上の干渉を測定するようさらに構成されることによって、前記ＵＥ（１４）に、前記ＣＳＩを推定させるよう構成される請求項２０から３２のいずれか一項に記載のＵＥ（１４）。
【請求項３４】
前記処理回路（３２）は、前記少なくともひとつのＣＳＩ−ＩＭリソース上の前記干渉を測定することにより少なくともひとつの干渉電力推定が生じるよう構成される請求項３３に記載のＵＥ（１４）。
【請求項３５】
前記処理回路（３２）は、前記ＵＥ（１４）に、少なくとも、前記Ｋ個のＮＺＰ  ＣＳＩ−ＲＳリソースに基づく前記Ｋ個の干渉電力推定と、前記少なくともひとつのＣＳＩ−ＩＭリソースに基づく前記少なくともひとつの干渉電力推定と、を足し合わせることによって、合成干渉推定を取得させるよう構成される請求項３０から３４のいずれか一項に記載のＵＥ（１４）。
【請求項３６】
前記処理回路（３２）は、前記ＵＥ（１４）に、前記合成干渉推定および測定されたダウンリンクチャネルに基づいて前記ＣＳＩを推定させるよう構成される請求項３５に記載のＵＥ（１４）。
【請求項３７】
前記測定されたダウンリンクチャネルが、前記第１ＮＺＰ  ＣＳＩ−ＲＳ設定に対応する第１ＮＺＰ  ＣＳＩ−ＲＳリソース上で測定される請求項３６に記載のＵＥ（１４）。
【請求項３８】
前記処理回路（３２）はさらに、前記ＵＥ（１４）に、コードブック設定を含むＣＳＩフィードバック要求を受信させるよう構成される請求項２０から３７のいずれか一項に記載のＵＥ（１４）。
【請求項３９】
基地局（１２）の方法であって、前記方法は、
前記基地局（１２）が、ユーザ装置、ＵＥ（１４）、に、チャネル測定用の第１非ゼロ電力、ＮＺＰ、チャネル状態情報、ＣＳＩ、参照信号、ＲＳ、設定と、干渉測定用の第２ＮＺＰ  ＣＳＩ−ＲＳ設定と、干渉測定用のＣＳＩ干渉測定、ＣＳＩ−ＩＭ、設定と、をシグナリングすること（Ｓ１００）と、
前記基地局（１２）が、前記ＵＥ（１４）からのＣＳＩレポートを受信すること（Ｓ１０６）であって、前記ＣＳＩレポートが、前記シグナリングされた第１ＮＺＰ  ＣＳＩ−ＲＳ設定と、前記第２ＮＺＰ  ＣＳＩ−ＲＳ設定と、前記ＣＳＩ−ＩＭ設定と、に少なくとも部分的に基づくものである、受信することと、を含み、
前記第２ＮＺＰ  ＣＳＩ−ＲＳ設定が、前記干渉測定用のＫ個（Ｋ≧１）のＮＺＰ  ＣＳＩ−ＲＳリソースを設定するためのものであり、Ｋ＋１が、マルチユーザ複数入力複数出力、ＭＵ−ＭＩＭＯ、のＵＥ候補の数に対応する方法。
【請求項４０】
前記Ｋ個のＮＺＰ  ＣＳＩ−ＲＳリソースにおいて測定された前記干渉測定がマルチユーザ複数入力複数出力、ＭＵ−ＭＩＭＯ、干渉に対応する請求項３９に記載の方法。
【請求項４１】
前記第２ＮＺＰ  ＣＳＩ−ＲＳ設定がマルチユーザ、ＭＵ、干渉測定のためのものである請求項３９または４０に記載の方法。
【請求項４２】
前記ＣＳＩ−ＩＭ設定がセル間干渉測定のためのものである請求項３９から４１のいずれか一項に記載の方法。
【請求項４３】
前記シグナリングすること（Ｓ１００）がさらに、コードブック設定をシグナリングすることを含む請求項３９から４２のいずれか一項に記載の方法。
【請求項４４】
前記受信されたＣＳＩレポートが、前記シグナリングされたコードブック設定に少なくとも部分的に基づく請求項４３に記載の方法。
【請求項４５】
前記基地局（１２）から、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、前記コードブック設定と、に基づいて、ＣＳＩのＣＳＩフィードバック要求を前記ＵＥ（１４）に送信すること（Ｓ１０２）をさらに含む請求項４３または４４に記載の方法。
【請求項４６】
前記基地局（１２）から、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、に基づいて、ＣＳＩのＣＳＩフィードバック要求を前記ＵＥ（１４）に送信すること（Ｓ１０２）をさらに含む請求項３９から４４のいずれか一項に記載の方法。
【請求項４７】
前記基地局（１２）から、前記第１ＮＺＰ  ＣＳＩ−ＲＳ設定および前記第２ＮＺＰ  ＣＳＩ−ＲＳ設定の前記シグナリングによって設定されたＫ＋１個のＮＺＰ  ＣＳＩ−ＲＳリソースを介して、Ｋ＋１個のＮＺＰ  ＣＳＩ参照信号、ＲＳ、を送信すること（Ｓ１０４）をさらに含む請求項３９から４６のいずれか一項に記載の方法。
【請求項４８】
前記基地局（１２）が前記ＵＥ（１４）にシグナリングすることが、無線リソース制御シグナリングを介して準静的にシグナリングすることを含む請求項３９から４７のいずれか一項に記載の方法。
【請求項４９】
前記基地局（１２）から前記ＣＳＩフィードバック要求を前記ＵＥ（１４）に送信することが、前記ＣＳＩフィードバック要求をダウンリンク制御チャネルを介して動的に送信することを含む請求項４６から４８のいずれか一項に記載の方法。
【請求項５０】
前記第２ＮＺＰ  ＣＳＩ−ＲＳ設定が、前記干渉測定の前記第２ＮＺＰ  ＣＳＩ−ＲＳ設定によって設定されたＫ個のＮＺＰ  ＣＳＩ−ＲＳリソースのそれぞれの電力スケーリングファクタを含む請求項３９から４９のいずれか一項に記載の方法。
【請求項５１】
前記受信されたＣＳＩレポートが合成干渉推定および測定されたダウンリンクチャネルに基づくものであり、前記合成干渉推定が、少なくとも、前記第２ＮＺＰ  ＣＳＩ−ＲＳ設定によって設定されたＫ個のＮＺＰ  ＣＳＩ−ＲＳリソースに基づくＫ個の干渉電力推定と、前記ＣＳＩ−ＩＭ設定によって設定された少なくともひとつのＣＳＩ−ＩＭリソースに基づく少なくともひとつの干渉電力推定と、の和であり、前記測定されたダウンリンクチャネルが、前記第１ＮＺＰ  ＣＳＩ−ＲＳ設定に対応する第１ＮＺＰ  ＣＳＩ−ＲＳリソースに基づく請求項３９から５０のいずれか一項に記載の方法。
【請求項５２】
前記基地局（１２）から、コードブック設定を含むＣＳＩフィードバック要求を送信することをさらに含む請求項３９から５１のいずれか一項に記載の方法。
【請求項５３】
処理回路（２０）を備える基地局（１２）であって、前記処理回路（２０）は、前記基地局（１２）に、
ユーザ装置、ＵＥ（１４）に、チャネル測定用の第１非ゼロ電力、ＮＺＰ、チャネル状態情報、ＣＳＩ、参照信号、ＲＳ、設定と、干渉測定用の第２ＮＺＰ  ＣＳＩ−ＲＳ設定と、干渉測定用のＣＳＩ干渉測定、ＣＳＩ−ＩＭ、設定と、をシグナリングすることと、
前記ＵＥ（１４）からのＣＳＩレポートを受信することであって、前記ＣＳＩレポートが、前記シグナリングされた第１ＮＺＰ  ＣＳＩ−ＲＳ設定と、前記第２ＮＺＰ  ＣＳＩ−ＲＳ設定と、前記ＣＳＩ−ＩＭ設定と、に少なくとも部分的に基づくものである、受信することと、を行わせるよう構成され、
前記第２ＮＺＰ  ＣＳＩ−ＲＳ設定が、前記干渉測定用のＫ個（Ｋ≧１）のＮＺＰ  ＣＳＩ−ＲＳリソースを設定するためのものであり、Ｋ＋１が、マルチユーザ複数入力複数出力、ＭＵ−ＭＩＭＯ、のＵＥ候補の数に対応する基地局（１２）。
【請求項５４】
前記Ｋ個のＮＺＰ  ＣＳＩ−ＲＳリソースにおいて測定された前記干渉測定がマルチユーザ複数入力複数出力、ＭＵ−ＭＩＭＯ、干渉に対応する請求項５３に記載の基地局（１２）。
【請求項５５】
前記第２ＮＺＰ  ＣＳＩ−ＲＳ設定がマルチユーザ、ＭＵ、干渉測定のためのものである請求項５３または５４に記載の基地局（１２）。
【請求項５６】
前記ＣＳＩ−ＩＭ設定がセル間干渉測定のためのものである請求項５３から５５のいずれか一項に記載の基地局（１２）。
【請求項５７】
前記処理回路（２０）は、コードブック設定をシグナリングするようさらに構成されることによって、前記ＵＥ（１４）にシグナリングするよう構成される請求項５３から５６のいずれか一項に記載の基地局（１２）。
【請求項５８】
前記受信されたＣＳＩレポートが、前記シグナリングされたコードブック設定に少なくとも部分的に基づく請求項５７に記載の基地局（１２）。
【請求項５９】
前記処理回路（２０）はさらに、前記ＵＥ（１４）に、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、前記コードブック設定と、に基づいて、ＣＳＩのＣＳＩフィードバック要求を送信する（Ｓ１０２）よう構成される請求項５７または５８に記載の基地局（１２）。
【請求項６０】
前記処理回路（２０）はさらに、前記ＵＥ（１４）に、少なくとも、前記第１ＮＺＰ  ＣＳＩ−ＲＳ設定と、前記第２ＮＺＰ  ＣＳＩ−ＲＳ設定と、前記ＣＳＩ−ＩＭ設定と、に基づいて、ＣＳＩのＣＳＩフィードバック要求を送信するよう構成される請求項５３から５８のいずれか一項に記載の基地局（１２）。
【請求項６１】
前記処理回路（２０）はさらに、前記第１ＮＺＰ  ＣＳＩ−ＲＳ設定および前記第２ＮＺＰ  ＣＳＩ−ＲＳ設定の前記シグナリングによって設定されたＫ＋１個のＮＺＰ  ＣＳＩ−ＲＳリソースを介して、Ｋ＋１個のＮＺＰ  ＣＳＩ参照信号、ＲＳ、を送信するよう構成される請求項５３から６０のいずれか一項に記載の基地局（１２）。
【請求項６２】
前記処理回路（２０）は、無線リソース制御シグナリングを介して準静的にシグナリングするようさらに構成されることによって、前記ＵＥ（１４）にシグナリングするよう構成される請求項５３から６１のいずれか一項に記載の基地局（１２）。
【請求項６３】
前記処理回路（２０）は、ダウンリンク制御チャネルを介して前記ＣＳＩフィードバック要求を動的に送信するようさらに構成されることによって、前記ＵＥ（１４）に前記ＣＳＩフィードバック要求を送信するよう構成される請求項５９から６２のいずれか一項に記載の基地局（１２）。
【請求項６４】
前記処理回路（２０）は、前記干渉測定用の前記第２ＮＺＰ  ＣＳＩ−ＲＳ設定によって設定されたＫ個のＮＺＰ  ＣＳＩ−ＲＳリソースのそれぞれの電力スケーリングファクタを含む前記第２ＮＺＰ  ＣＳＩ−ＲＳ設定をシグナリングするようさらに構成されることによって、前記ＵＥ（１４）にシグナリングするよう構成される請求項５３から６３のいずれか一項に記載の基地局（１２）。
【請求項６５】
前記受信されたＣＳＩレポートが合成干渉推定および測定されたダウンリンクチャネルに基づくものであり、前記合成干渉推定が、少なくとも、前記第２ＮＺＰ  ＣＳＩ−ＲＳ設定によって設定されたＫ個のＮＺＰ  ＣＳＩ−ＲＳリソースに基づくＫ個の干渉電力推定と、前記ＣＳＩ−ＩＭ設定によって設定された少なくともひとつのＣＳＩ−ＩＭリソースに基づく少なくともひとつの干渉電力推定と、の和であり、前記測定されたダウンリンクチャネルが、前記第１ＮＺＰ  ＣＳＩ−ＲＳ設定に対応する第１ＮＺＰ  ＣＳＩ−ＲＳリソースに基づく請求項５３から６４のいずれか一項に記載の基地局（１２）。
【請求項６６】
前記処理回路（２０）はさらに、コードブック設定を含むＣＳＩフィードバック要求を送信するよう構成される請求項５３から６５のいずれか一項に記載の基地局（１２）。
【国際調査報告】
2020520151.tif 000030
2020520151.tif 000031
2020520151.tif 000032
2020520151.tif 000033